(57)【特許請求の範囲】
【請求項１】
無線通信システムにおけるパイロット最適化のための方法であって、
基地局においてアップリンク・パイロット・チャネル情報を決定することと、
１または複数の選択されたパイロット・チャネル制御動作を行うことによって、パイロット改善を容易にするために、前記アップリンク・パイロット・チャネル情報を、１または複数の無線端末へ送信することと、
前記１または複数の選択されたパイロット・チャネル制御動作にしたがって、１または複数の協調する無線端末で実行される電力制御動作のモニタおよび指示を行うことと、
１または複数の高められた制御チャネルの電力レベルを、１または複数の無線端末のデータ・レートに応じて選択された電力レベルへ上昇させることと、
変調信号を取得するために前記１または複数の高められた制御チャネルを復号することと、
前記１または複数の高められた制御チャネルをパイロット・リファレンスに変換するために、前記変調信号をフリップすることと、
別の１または複数の制御チャネルを復調するために、前記パイロット・リファレンスを１または複数の制御チャネルと結合して、フェーズ・リファレンスおよび／または増幅リファレンスを提供することとを備え、
前記電力制御動作は、前記１または複数の無線端末のパイロット・チャネル状態および／またはデータ・レートに関連して、前記１または複数の無線端末に対して実行される方法。
【請求項２】
前記１または複数の制御チャネルの電力レベルを、高められた量に等しい量減少させることをさらに備える請求項１に記載の方法。
【請求項３】
無線通信システムにおける通信装置であって、
前記通信装置はプロセッサを備え、
前記プロセッサは、
基地局においてアップリンク・パイロット・チャネル情報を決定し、
１または複数の選択されたパイロット・チャネル制御動作を行うことによって、パイロット改善を容易にするために、前記アップリンク・パイロット・チャネル情報を、１または複数の協調する無線端末へ送信し、
前記１または複数の選択されたパイロット・チャネル制御動作にしたがって、前記１または複数の協調する無線端末で実行される電力制御動作のモニタおよび指示を行い、
１または複数の高められた制御チャネルの電力レベルを、１または複数の無線端末のデータ・レートに応じて選択された電力レベルへ上昇させるためのシグナルを提供し、
前記１または複数の高められた制御チャネルを復号し、前記１または複数の高められた制御チャネルをパイロット・リファレンスに変換するために変調信号をフリップさせるためのシグナルを提供し、
別の１または複数の制御チャネルを復調するために、前記パイロット・リファレンスを１または複数の制御チャネルと結合させ、フェーズ・リファレンスおよび／または増幅リファレンスを提供させるためのシグナルを提供するように構成され、
前記電力制御動作は、前記１または複数の協調する無線端末のパイロット・チャネル状態および／またはデータ・レートに関連して、前記１または複数の協調する無線端末に対して実行される通信装置。
【発明の詳細な説明】
【関連出願に対する相互参照】
【０００１】
本願は、２００７年１月２２日に出願され、"BOOSTED UPLINK PILOT IN W-CDMA"と題され、その全体が参照によって本願に組み込まれている米国特許仮出願６０／８８６，０８５号からの３５Ｕ．Ｓ．Ｃ１９条の下の優先権の利益を主張する。
【技術分野】
【０００２】
以下の記述は、一般に、無線通信に関し、さらに詳しくは、改善されたアップリンク・パイロットに関する。
【背景技術】
【０００３】
無線通信システムは、様々なタイプの通信を提供するために広く展開しており、例えば、音声および／またはデータは、そのような無線通信システムによって提供されうる。一般的な無線通信システムまたはネットワークは、１または複数の共有されたリソースへ複数のユーザ・アクセスを提供することができる。例えば、これらのシステムは、利用可能なシステム・リソース（例えば帯域幅および送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含んでいる。
【０００４】
データのコーレントな復調は一般に、送信リンクによって導入されたフェーズ変化および増幅変化の起源に依存する。通常、送信リンク上のより高いデータ・レートは、良好に動作するために、より良好なフェーズ・リファレンスおよび増幅リファレンスを必要とする。このフェーズ・リファレンスおよび増幅リファレンスは、通常、パイロット・シーケンスまたはチャネルから与えられる。
【０００５】
例として、Ｗ−ＣＤＭＡのアップリンクを送信する毎秒１６キロ・ビット（Ｋｂ／ｓ）のデータ・レートは、およそＥｃ／Ｎｔ＝−２０ｄＢの信号対雑音比（ＳＮＲ）を持つパイロット・チャネルを必要とするだろう。一方、データ・レートが毎秒１１メガ・ビット（Ｍｂｉｔ／ｓ）に上昇される場合、パイロットを搬送するチャネル（「専用物理制御チャネル」またはＤＰＣＣＨと称される）の信号対雑音比は、およそＥｃ／Ｎｔ＝−２ｄＢでなければならない。このようなより高いＳＮＲは、送信機においてＤＰＣＣＨの送信電力を高めることにより達成することができる。
【０００６】
Ｗ−ＣＤＭＡの現在のリリースおよび前のリリースでは、ユーザ機器（ＵＥ）は、送信データ・レートの増加に適応するためにパイロット・チャネルの送信電力を自律的に変えることはできず非効率的であった。Ｗ−ＣＤＭＡシステムおよび他のシステムにおいて考慮されている将来のリリースにおいて、アップリンク（ＵＬ）においてより高いデータ・レートを導入することにより、これらの非効率性がより顕著になり、高データ・レートの通信のためのサポートを妨げている。
【０００７】
現行では、高速電力制御の内部ループによって発行されるアップ・コマンドおよびダウン・コマンドは、基地局におけるパイロット・ビットに関するＳＮＲ測定に基づく。残念ながら、Ｗ−ＣＤＭＡの現在のバージョンにおける基地局の現在の構成は、以下を互いに区別することはできない。ａ）（高データ・レート送信によって）ＵＥによって開始されたＤＰＣＣＨの送信電力における増加、ｂ）ラジオ・リンクにおける向上（良好な経路損失、干渉レベルの低減）。何れのシナリオにおいても、システムは、パイロットのＳＮＲが目標ＳＮＲを超えて増加されたことを観察し、ダウン・コマンドを発行する。正しい挙動は、ラジオ・リンクにおける改善があった場合にのみ基地局がダウン・コマンドを発行することである。
【０００８】
さらに、現行では、ＤＰＣＣＨの送信電力が増加した場合において基地局がダウン・コマンドを発行すると、基地局は、高データ・レート送信のためのＳＮＲを効率的に低減させるように動作するので、パフォーマンスが低下する。さらに、現行では、ＵＥが高レート・パケットの送信を終了した後、パイロット送信電力における改善効果（例えば、ブースト）が取り除かれる。なぜなら、ＵＥが、好ましくないダウン・コマンドを実行すると、パイロットは、低データ・レート送信が失敗するような低いＳＮＲになるからである。
【０００９】
前述の記載から、現行の欠点を改善するシステムおよび方法に対するニーズがあることが認識される。
【発明の概要】
【００１０】
以下は、１または複数の実施形態の基本的な理解を提供するために、そのような実施形態の簡略化された概要を示す。この概要は、考慮されるすべての実施形態の広範な概観でなく、すべての実施形態の重要要素や決定的要素を特定することも、任意またはすべての実施形態の範囲を線引きすることでもないことが意図される。その唯一の目的は、１または複数の実施形態の幾つかの概念を、後に示されるより詳細な記述に対する前置きとしてより簡単な形式で表すことである。
【００１１】
１または複数の例示的な実施およびその対応する開示によれば、様々な局面が適応アップリンク・パイロット多重化に関連して記述される。様々な実施形態では、パイロット・チャネルで処理された許可メッセージを管理することによって、アップリンク・パイロットが高速送信のために最適化されうる。
【００１２】
関連する局面によれば、本明細書では、パイロット効率の向上を容易にする方法が記述される。この方法は、基地局において、アップリンク・パイロット情報を決定することを含む。さらに、この方法は、アップリンク・パイロットを容易にするために、１または複数の協調する無線端末の予め定められた機能にしたがって、アップリンク・パイロット・チャネル情報を、１または複数の協調する無線端末に送信することを含む。例示的な実施において、パイロット・チャネル最適化の一部として、パイロット・チャネル・データが、協調する無線端末によって処理されるように、協調する無線端末間でパイロット・チャネル・データを通信するように動作する基地局が提供される。
【００１３】
例示的な動作において、典型的な基地局は、パイロット・チャネルをモニタし、その（信号対雑音比）レベルにおけるジャンプを検出することができる。例示的な動作において、典型的な基地局は、以前に送信されたタイム・スロットから、選択されたデシベル値以上の増加を、パイロット・レベルにおいて検出したのであれば、選択された電力制御モードで動作する。例示的に、選択された電力制御モードは、次の時間送信間隔（ＴＴＩ）中、ＳＮＲ測定値を無視することを含む。
【００１４】
別の例示的な動作では、典型的な基地局は、パイロット信号に対する典型的なブーストのレベルを知っている場合、パイロット・ブーストを補償するために、測定されたパイロットＳＮＲを規格化するように動作することができる。例示的な実施において、この規格化されたＳＮＲは、典型的な電力制御内部ループによって使用されうる。例示的な動作では、典型的な基地局は、ブーストしたタイム・スロット中に受信されたパイロットＳＮＲを、ブーストしていない時間中に受信されたパイロットＳＮＲと比較することによって、パイロット・ブーストを推定することができる。この評価の結果は、測定されたＳＮＲを規格化するために効率的に使用されうる。
【００１５】
別の例示的な動作では、典型的な基地局が、ブーストしたパイロットを有する無線送信の第１のスロットにおける電力制御をディセーブルし、規格化されたＳＮＲが以前のタイム・スロットから変わらないという仮定の下で動作する。例示的に、その後の１または複数のタイム・スロット中は、典型的な基地局が、連続したタイム・スロット間の相違を用いて、規格化されたＳＮＲの推定値を更新することができる。規格化されたＳＮＲは、その後、内部ループ電力制御によって使用されうる。
【００１６】
別の例示的な動作では、典型的な基地局が、例えばＷ−ＣＤＭＡのエンハンスト専用物理制御チャネル（Ｅ−ＤＰＤＣＨ）のような制御チャネル上で受信された電力またはＳＮＲを測定することができる。例示的に、典型的な基地局は、無線端末から実質的な電力の存在を検出すると、パイロットがブーストされるように動作し、選択された電力モード動作のうちの１または複数を実行する。
【００１７】
別の典型的な動作では、制御チャネルまたはデータ・チャネルの信号のうち、典型的な基地局によって信号が検出されると、電力制御は、制御チャネル上で展開されうる。例えば、Ｗ−ＣＤＭＡでは、制御チャネルは、エンハンスト専用物理制御チャネル（Ｅ−ＤＰＣＣＨ）であり、データ・チャネルは、エンハンスト専用物理データ・チャネル（Ｅ−ＤＰＤＣＨ）でありうる。例示的に、制御チャネルのＳＮＲは、典型的な基地局によって推定され、内部ループ電力制御のために使用される。例示的に、制御チャネルのこの推定されたＳＮＲは、規格化されたパイロットの電力を表すように調節され、電力制御は、調節されたＳＮＲ推定値を用いて展開されうる。
【００１８】
別の例示的な動作では、典型的な基地局は、すべてのＴＴＩの開始時において電力制御をディセーブルし、ユーザ機器（ＵＥ）（例えば、１または複数の協調する無線端末）は、ブーストしたパイロットを用いて送信することができる。この典型的な基地局は、ＵＥが、ブーストしたパイロットを用いていつ送信するのかを効果的に判定することができる。なぜなら、この典型的な基地局は、１または複数のメッセージ許可およびＤＴＸ制御によって、ＵＥ送信にわたった制御を与えることができるからである。例示的に、電力制御は、この典型的な基地局が制御チャネル（Ｗ−ＣＤＭＡにおけるＥ−ＤＰＣＣＨ）を復号する場合に再びイネーブルされうる。例示的な動作では、制御チャネルは、ＵＥがパイロットをブーストしているかのみならず、典型的な基地局および１または複数の無線送信機からどのフォーマットが送信されているかを通信することができる。例示的な動作では、この典型的な基地局は、パイロットＳＮＲ推定値を規格化するために、制御チャネルの復号結果を利用することができる。
【００１９】
別の例示的な実施では、典型的な基地局は、ＵＥがパイロットをブーストさせるように動作するイベントにおいて、電力制御をディセーブルすることができる。例示的に、この典型的な基地局は、ＵＥがパイロットをブーストさせるように動作する事例をモニタし、１または複数のＵＥへ許可メッセージを通信することによって、発生頻度を制限することができる。例示的な実施では、典型的な基地局は、１または複数の無線端末へ、絶対的な許可メッセージを送信し、１または複数の無線端末（例えば、ＵＥ）は、特定のＴＴＩの間、ブーストされたパイロットを用いて高データ・レートを送信することが可能となる。
【００２０】
前述した目的および関連する目的を達成するために、１または複数の例示的な実施は、後に十分に説明され特許請求の範囲において特に指摘される特徴を備える。以下の記述および添付図面は、１または複数の例示的な実施のある例示的な局面をより詳細に述べる。しかしながら、これらの局面は、例示的な様々な実施の原理が適用され、かつ説明された例示的な実施がそのようなすべての局面およびそれらの等価物を含むことが意図されている様々な方式のうちのほんの幾つかを示しているに過ぎない。
【図面の簡単な説明】
【００２１】
【図１】図１は、本明細書に記載された様々な局面にしたがった無線通信システムを例示している。
【図２】図２は、本発明のさらなる局面にしたがった無線通信システムを例示している。
【図３Ａ】図３Ａは、本発明の様々な局面にしたがってパイロット・チャネル最適化を容易にするシステムの典型的かつ限定しない高レベル・ブロック図を例示している。
【図３Ｂ】図３Ｂは、本発明の様々な局面にしたがってアップリンク・パイロット信号が最適化されるように、複数のユーザ機器からの信号を受信する基地局を例示している。
【図４】図４は、本発明の様々な局面にしたがう限定しないパイロット最適化スキームを示している。
【図５】図５は、本発明の様々な局面にしたがって無線通信環境内に配置される通信装置を例示する。
【図６】図６は、本明細書に記載された様々な実施形態にしたがうアップリンク・パイロット最適化のための例示的な高次レベル方法論を示す。
【図７】図７は、本明細書に記載された様々な実施形態にしたがうアップリンク・パイロット最適化のための例示的な高次レベル方法論を示す。
【図８】図８は、複数のセルを含む様々な局面にしたがって実現される通信システムの例を示す。
【図９】図９は、様々な実施形態にしたがってユーザ機器に関するパイロット最適化に関連して利用されうるシステムを例示する。
【図１０】図１０は、本発明の様々な局面にしたがう基地局の典型的な限定しないブロック図を例示する。
【図１１】図１１は、例示的な様々な実施にしたがうアップリンク・パイロット・チャネル割当に関連して利用されうるシステムを例示する。
【図１２】図１２は、例示的な様々な実施にしたがって実現される典型的な無線端末（例えば、無線端末、モバイル・デバイス、エンド・ノード等）を例示する。
【図１３】図１３は、本明細書で記載された例示的な実施および動作の様々な局面にしたがったアップリンク・パイロット最適化を組み込んだ通信システムの典型的な限定しないブロック図を例示する。
【図１４】図１４は、様々な例示的実施にしたがってパイロット最適化をイネーブルする典型的な限定しない装置を例示する。
【図１５】図１５は、様々な例示的実施にしたがってパイロット最適化を容易にする典型的な限定しない装置を例示する。
【発明を実施するための形態】
【００２２】
様々な実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００２３】
さらに、本発明の様々な局面が以下に述べられる。本明細書における教示は、広く様々な形態で具体化され、本明細書に記載された任意の具体的な構成および／または機能は単なる代表例であることが明白であるべきである。本明細書に記載の教示に基づいて、当業者であれば、本明細書で開示された局面は、その他任意の局面と独立して実現され、これら局面の２またはそれ以上が、様々な方式で結合されうることを認識すべきである。例えば、本明細書に記載の多くの局面を用いて装置が実現され、および／または、方法が実現されうる。さらに、本明細書で述べられた局面の１または複数に加えて、あるいはそれとは別の他の構成および／または機能を用いて装置および／または方法が実現されうる。例として、本明細書に記載の方法、デバイス、システム、および装置のうちの多くは、Ｗ−ＣＤＭＡ通信システムにおいてアップリンク・パイロット信号をブーストする文脈で説明される。当業者であれば、類似の技術が、他の通信環境にも適合することを認識すべきである。
【００２４】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、様々なデータ構造を格納して有する様々なコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。さらに、本明細書に記載のシステムの構成要素は、様々な局面、目標、利点等、これらに関して説明されたものを達成することを容易にするために、さらなる構成要素によって再構成および／または考慮され、さらに、当業者によって理解されるように、与えられた図面で説明された正確な構成に限定されない。
【００２５】
さらに、本明細書では様々な実施形態が、無線端末またはユーザ機器（ＵＥ）に関連して記載される。無線端末またはＵＥはまた、システム、加入者ユニット、加入者局、モバイル局、モバイル、モバイル・デバイス、遠隔局、遠隔端末、ＵＥ、ユーザ端末、端末、無線通信デバイス、ユーザ・エージェント、あるいはユーザ・デバイスとも称されうる。無線端末またはＵＥは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、無線端末と通信するために利用され、アクセス・ポイント、ノードＢ、またはその他幾つかの専門用語で称されうる。
【００２６】
さらに、本明細書に記載のさまざまな局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。さらに、本明細書に記載されたさまざまな記憶媒体は、情報を格納するための１または複数のデバイス、および／または、その他の機械読取可能媒体を表しうる。さらに、例えばセルラ・ネットワークのようなネットワークにアクセスする際、あるいは、指定された機能を実行するようにデバイスに命令する際、例えばボイス・メールの送受信に使用されるようなコンピュータ読取可能電子データまたは命令を搬送するために、搬送波が使用されうることが認識されるべきである。さらに、用語「機械読取可能媒体」は、限定する訳ではないが、無線チャネルを含むのみならず、命令群および／またはデータを格納、包含および／または伝送することが可能なその他様々な媒体を含む。もちろん、当業者であれば、多くの修正が、開示された実施形態に対して、本明細書で説明され特許請求された発明のスコープまたは精神から逸脱することなくなされることを認識するだろう。
【００２７】
さらに、用語「典型的な」は、本明細書において、例、事例、または例示となることを意味するために使用される。本明細書で「典型的」と記載される設計の任意の局面は、必ずしも、その他の局面または設計よりも好適であるとか有利であると解釈される必要はない。そうではなく、これら用語の使用は典型的には、具体的な方式で本概念を示すことが意図される。本明細書で使用されるように、用語「または」は、排他的な「または」ではなく、包括的な「または」を意味することが意図される。すなわち、もしも特に指定されていないか、あるいは、文脈から明らかなように、「ＸはＡまたはＢを適用する」は、通常、包括的な順序のうちの何れかを意味することが意図されている。すなわち、ＸがＡを適用するか、ＸがＢを適用するか、ＸがＡとＢとの両方を適用すれば、前述した例のうちの何れかの下で、「ＸがＡまたはＢを適用する」が満足される。さらに、本明細書および特許請求の範囲で使用される冠詞「ａ」および「ａｎ」は、一般に、特に指定されていないか、あるいは、単数を示すものであることが文脈から明らかではない場合、「１または複数」を意味すると解釈されるべきである。
【００２８】
本明細書に記載されるように、「推論する」または「推論」なる用語は、一般に、イベントおよび／またはデータを介してキャプチャされた観察のセットからの、システム、環境、および／またはユーザに関する推論または推論処理を称する。推測は、特定の文脈または動作を特定するために適用されるか、あるいは、例えば、状態にわたった確率分布を生成することができる。推測は、確率論的であり、データおよびイベントの考慮に基づく当該状態にわたった確率分布の計算である。推測はまた、イベントおよび／またはデータのセットから、より高いレベルのイベントを構成するために適用される技術をも称しうる。そのような推測によって、観察されたイベントが、時間的に近接して相関付けられていようといまいと、観察されたイベントおよびデータが、１または幾つかのイベントおよびデータ・ソースから由来していようといまいと、観察されたイベントおよび／または格納されたイベント・データのセットから、新たなイベントまたは動作が構築される。
【００２９】
本明細書に記載の技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークに使用されうる。用語「ネットワーク」および「システム」は、しばしば置換可能に使用される。ＣＤＭＡネットワークは、例えばユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）、ＴＤ−ＳＣＤＭＡ、およびＴＤ−ＣＤＭＡを含んでいる。ｃｄｍａ２０００は、ＩＳ−２０００規格、ＩＳ−９５規格、およびＩＳ−８５６規格をカバーする。ＴＤＭＡネットワークは、例えば、グローバル移動体通信システム（ＧＳＭ（登録商標））のようなラジオ技術を実施することができる。ＯＦＤＭＡネットワークは、例えばエボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画（３ＧＰＰ）」と命名された組織からの文書に記載されている。ｃｄｍａ２０００は、「第３世代パートナシップ計画２」（３ＧＰＰ２）と命名された組織からの文書に記載されている。これら様々なラジオ技術および規格は、当技術において周知である。明確にするために、上述した技術のある局面は、ＬＥＴに当てはまるので、以下においてアップリンク・パイロット多重化の文脈で説明される。その結果、適切である場合、以下の説明の多くでは、３ＧＰＰ用語が使用されうる。
【００３０】
（パイロット・チャネル・ブースト）  
本明細書に記載されたシステムおよび方法は、パイロット・チャネル動作を最適化するために、および、パイロット・チャネルの電力の制御が欠如して、高データ・レート送信が無駄になる事象を減らすために、現行の欠点を改めることを目的とする。例示的な実施では、ＵＥは、パイロットを搬送するチャネルのレベルを自律的に増加（ブースト）させる能力が与えられる。例えば、Ｗ−ＣＤＭＡでは、このチャネルは、専用物理制御チャネル（ＤＰＣＣＨ）と呼ばれる。例示的な動作では、ＵＥは、ＵＥがデータ・チャネル上で使用する送信フォーマットに応じて、すなわち、データ・チャネルのデータ・レートに応じて、ＤＰＣＣＨの送信電力を増加させることができる。例示的に、データ送信の終了後、ＵＥは、通常の電力レベルにおける動作を再開するために、ＤＰＣＣＨの電力を、ブーストした量減少させるように動作する。
【００３１】
別の例示的な実施では、例えばＷ−ＣＤＭＡにおけるエンハンスト専用物理制御チャネルのような制御チャネルのレベルが増加（ブースト）されうる。例示的な動作では、まずＥ−ＤＰＣＣＨが復号され、次に、Ｅ−ＤＰＣＣＨをパイロット・リファレンスに変換するために、選択されたスキームにしたがって変調シンボルがフリップされる。この例示的な動作ではその後、Ｅ−ＤＰＣＣＨがＤＰＣＣＨと結合され、例えばＤＰＤＣＨのような他のチャネルを復号するための改善されたフェーズ・リファレンスおよび増幅リファレンスが提供される。
【００３２】
例示的な実施では、伝搬チャネルおよび干渉レベルの変動による受信機におけるパイロット・チャネルＳＮＲの急激な変動を緩和するために、高速電力制御が適用されうる。例示的に、Ｗ−ＣＤＭＡのアップリンクにおいて現在使用されているような高速電力制御は一般に、２つのループ、すなわち、内部ループおよび外部ループに依存する。例示的な動作では、内部ループは、典型的な基地局（例えば、ノードＢ、ＲＮＣ、またはその他のインフラストラクチャ要素）が、パイロット・ビットのＳＮＲを測定し、測定されたＳＮＲを目標ＳＮＲと比較して、この比較に基づいて、測定されたＳＮＲを目標ＳＮＲの近くに維持できるようにアップ・コマンドまたはダウン・コマンドを１または複数の協調する無線端末（例えば、ユーザ機器−ＵＥ）へ発行する動作を実行することができる。例示的に、ＵＥは、アップ・コマンドを受信すると、そのチャネルの電力を、ステップ・サイズ増加させることができる。例示的に、ＵＥが、協調セルのアクティブ・セット内のセルのうちの何れか（例えば、協調する基地局）からダウン・コマンドを受信した場合、チャネルの電力を、ステップ・サイズ低減させることができる。
【００３３】
しかしながら、現行では、高速電力制御の内部ループによって発行されるアップ・コマンドおよびダウン・コマンドは、一般に、基地局におけるパイロット・ビットにおけるＳＮＲ測定に基づく。Ｗ−ＣＤＭＡ基地局は、下記ａ）、ｂ）を互いを区別することができない。ａ）ＵＥによって発行されたＤＰＣＣＨの送信電力における増加。なぜなら、ＵＥは高データ・レート送信を送るからである。ｂ）ラジオ・リンクにおける改善（良好な経路損失、干渉レベルの低減、その他）。現行では、基地局は、両ケースにおいて、パイロットのＳＮＲが目標ＳＮＲよりも増えたことを観察し、ダウン・コマンドを発行する。しかしながら、望ましい挙動は、基地局が、ケース（ｂ）の場合にのみダウン・コマンドを発行することであろう。
【００３４】
ケース（ａ）の場合にダウン・コマンドを発行することによって、基地局は、高データ・レート送信のためのＳＮＲを低下させ、もって、パフォーマンスを低下させる。さらに、ＵＥが高レート・パケットを送信し終えた後、パイロット送信電力のブーストが止まるだろう。それゆえ、ＵＥが望ましくないダウン・コマンドを実行すると、パイロットは、低いＳＮＲになるので、あらゆる低いデータ・レート送信が失敗しうる。
【００３５】
現行の内部ループの欠点を克服するために、本明細書に記載のシステムおよび方法は、典型的な基地局が効率的にパイロットを測定し、そのレベルにおけるジャンプを検出する無線通信システムを提供する。例示的な動作では、典型的な基地局が、パイロット・レベルにおいて、以前に観察されたタイム・スロットからΔｄＢよりも多く増加したことを検出すると、典型的な基地局は、ブーストしたパイロットを示すデータを格納する。例示的な動作では、典型的な基地局が、電力制御ループを従来方式で動作させ、以下の例示的な動作のうちの１または複数を実行して、可能なブーストしたパイロットを検出し、以下の例示的な動作によって説明されるようなモードのうちの１つで動作するように電力制御を切り換える。
【００３６】
例示的な動作では、典型的な基地局は、パイロット・チャネルをモニタし、その（信号対雑音比）レベルにおけるジャンプを検出することができる。この例示的な動作では、典型的な基地局が、パイロット・レベルにおいて、以前に送信されたタイム・スロットから、選択されたデシベル値を超える増加を検出した場合、典型的な基地局は、選択された電力制御モードで動作する。例示的に、この選択された電力制御モードは、次の時間送信間隔（ＴＴＩ）中、ＳＮＲ測定を無視することと、１または複数のＵＥがその平均送信電力を変えることがないように、１または複数のＵＥへ電力制御コマンドを送信することとを備える。
【００３７】
別の例示的な動作では、典型的な基地局が、パイロット信号に対する典型的なブーストのレベルを知っている場合、このパイロット・ブーストを補償するために、測定されたパイロットＳＮＲを規格化するように動作することができる。例示的な実施では、規格化されたＳＮＲはその後、典型的な電力制御内部ループによって使用される。この例示的な動作では、典型的な基地局は、ブーストしたタイム・スロット中に受信されたパイロットＳＮＲを、ブーストしていない時間中に受信されたパイロットＳＮＲと比較することによってパイロット・ブーストを推定することができる。この推定結果は、測定されたＳＮＲを規格化するために使用される。
【００３８】
別の例示的な動作では、典型的な基地局が、ブーストしたパイロットを有する無線送信の第１のスロットにおける電力制御をディセーブルし、規格化されたＳＮＲが以前のタイム・スロットから変わらないという仮定の下で動作する。例示的に、その後の１または複数のタイム・スロット中、典型的な基地局は、規格化されたＳＮＲの推定値を更新するために、連続するタイム・スロット間の差分を用いる。規格化されたＳＮＲはその後、内部ループ電力制御によって使用されうる。
【００３９】
別の例示的な動作では、典型的な基地局は、エンハンスト専用物理制御チャネル（Ｅ−ＤＰＤＣＨ）で受信された電力またはＳＮＲを測定する。例示的に、典型的な基地局が１または複数のＵＥからの実質的な電力が存在すると検知した場合、典型的な基地局は、パイロットをブーストすることができ、１または複数の選択された電力モード動作を実行することができる。
【００４０】
別の典型的な動作では、典型的な基地局によって、エンハンスト専用物理制御チャネル（Ｅ−ＤＰＣＣＨ）またはエンハンスト専用物理データ・チャネル（Ｅ−ＤＰＤＣＨ）上で信号が検出されると、Ｅ−ＤＰＣＣＨで電力制御が行われる。例示的に、Ｅ−ＤＰＣＣＨのＳＮＲは、この典型的な基地局によって推定され、内部ループ電力制御のために使用される。例示的に、Ｅ−ＤＰＣＣＨの推定されたＳＮＲは、規格化されたＤＰＣＣＨの電力を表すように調節され、この調節されたＳＮＲ推定を用いて電力制御が行われる。
【００４１】
別の例示的な動作では、典型的な基地局は、すべてのＴＴＩの開始時において電力制御をディセーブルし、ユーザ機器（ＵＥ）は、ブーストしたパイロットを用いて送信することができる。この典型的な基地局は、ＵＥが、ブーストしたパイロットを用いていつ送信するのかを効果的に判定することができる。なぜなら、この典型的な基地局は、１または複数のメッセージ許可およびＤＴＸ制御によって、ＵＥ送信を介して制御を与えることができるからである。例示的に、電力制御は、この典型的な基地局がＥ−ＤＰＣＣＨを復号する場合に再びイネーブルされうる。例示的な動作では、Ｅ−ＤＰＣＣＨは、Ｅ−ＤＰＤＣＨにおいてパイロット・ブーストを用いているかのみならず、典型的な基地局からどのフォーマットが送信されているかを通信することができる。例示的な動作では、典型的な基地局は、ＤＰＣＣＨパイロットＳＮＲ推定値を規格化するために、Ｅ−ＤＰＣＣＨの結果を利用することができる。
【００４２】
別の例示的な実施では、典型的な基地局は、ＵＥがパイロットをブーストさせるようにするイベントにおいて、電力制御をディセーブルすることができる。例示的に、この典型的な基地局は、ＵＥがパイロットをブーストさせる事例をモニタし、許可メッセージを１または複数の協調する無線端末へ通信することによって、発生頻度を制限することができる。例示的な実施では、典型的な基地局は、１または複数の無線端末へ、絶対的な許可メッセージを送信し、１または複数の無線端末（例えば、ＵＥ）は、特定のＴＴＩの間、ブーストしたパイロットを用いて高データ・レートを送信することが可能となる。
【００４３】
別の例示的な実施では、ＵＥは、ブーストしたパイロットを送信している場合、サービス提供していないセルからの「ダウン」コマンドを無視することができる。
【００４４】
例示的な動作では、典型的な基地局が、１または複数の協調する無線端末から受信したサービス品質（ＱｏＳ）（例えば、ブロック誤り率（ＢＬＥＲ）またはビット誤り率（ＢＥＲ））を測定する場合、外部ループが、動作を実行し、必要に応じて、所望のＱｏＳを達成するために、目標ＳＮＲを調節することができる。また、例示的な実施では、パイロットにおけるＳＮＲの測定が、ＵＥによって送信されたチャネルの送信電力を調節するために、ラジオ・リンクの品質における変化を導出するために用いられる。
【００４５】
Ｗ−ＣＤＭＡのエンハンスト・アップリンク（ＥＵＬ）機能を用いて、データは、一般に、Ｅ−ＤＰＤＣＨという名のチャネルで送信される。例示的に、パイロット・リファレンスがＤＰＣＣＨ上で搬送され、他のチャネルと同様、Ｅ−ＤＰＤＣＨのコヒーレントな復調のために使用される。無線システムにおけるアップリンクは、協調するＵＥによって共有されるリソースである。例示的に、典型的な基地局は、おのおののＵＥによって使用されるアップリンク・リソースの量を制御することによって、全体的なアップリンク・パフォーマンスを最大化する。例示的な実施では、所望のアップリンク・リソース制御を達成するために、絶対的な許可メッセージが適用されうる。
【００４６】
例示的に、絶対的な許可メッセージは、その制御下において、１つのＵＥの許可されたレートを直接的に調節するために、基地局スケジューラによってダウンリンクで送信されたメッセージである。例示的に、この絶対的な許可メッセージは、ともに多重化され、Ｅ−ＡＧＣＨという名のダウンリンク・チャネルで送信される複数のフィールドを含む。これらのフィールドは、以下を備えることができる。絶対的な許可値：このフィールドは、ＵＥが次の送信で使用することが許可された最大ＥＵＬデータ対パイロット比（Ｅ−ＤＰＤＣＨ／ＤＰＣＣＨ）を示す。絶対的許可スコープ：このフィールドは、絶対的な許可の適用可能性を示す（それは、２つの異なる値、"Ｐｅｒ  ＨＡＲＱ  ｐｒｏｃｅｓｓ”または“Ａｌｌ  ＨＡＲＱ  ｐｒｏｃｅｓｓｅｓ”をとる。これらは、ＨＡＲＱプロセス・アクティブ化／非アクティブ化が、１またはすべてのプロセスに影響を与えるかを示す）。
【００４７】
典型的な基地局および協調する無線端末によって送られた絶対的な許可メッセージの通信をもたらす曖昧さに打ち勝つために、ＤＰＤＣＨ対ノミナルＤＰＣＣＨ電力比をもつパイロット・ブーストが、新たな絶対的なメッセージ判定基準へ組み合わされる。ここでは、例示的に、ノミナルＤＰＣＣＨ電力は、ブーストしていないＤＰＣＣＨの電力である。
【００４８】
例示的に、絶対的な許可メッセージ判定基準は、以下のように計算される。  
ｍ＝［（Ｅ−ＤＰＤＣＨ電力）＋（ブーストＤＰＣＣＨ電力）／［ノミナルＤＰＣＣＨ電力］−１      （式１）、  
あるいは、同様に、  
【数１】
0005410569.tif 000002
【００４９】
ここで、βｅｄおよびβｃは、それぞれＥ−ＤＰＤＣＨおよびＤＰＣＣＨの増幅ゲインであり、βｂｃは、ブーストＤＰＣＣＨ対ノミナルＤＰＣＣＨの増幅比である。これらの方程式は線形および大きさで書かれているが、例えば判定基準における電力のブーストを考慮するなど、他の方法によっても導出されうることが当業者によって良く理解されるべきである。例えば、代わりに電力を用いたり、対数領域で計算がなされうる。
【００５０】
パイロット以外のチャネルの電力がブーストする場合における別の例示的な実施において、別のチャネルについてであるが、新たな絶対的なメッセージ判定基準を計算するために同じ手順が使用されうる。Ｅ−ＤＰＣＣＨの電力がブーストし、追加のフェーズおよび増幅リファレンスとして使用される特定の実施形態では、判定基準は以下のようにして計算される。  
ｍ＝［（Ｅ−ＤＰＤＣＨ電力）＋（ブーストＥ−ＤＰＣＣＨ電力）−（正常Ｅ−ＤＰＣＣＨ電力）］／［ノミナルＤＰＣＣＨ電力］      （式３）  
あるいは、同様に、  
【数２】
0005410569.tif 000003
【００５１】
ここで、βｅｄ、βｃ、およびβｅｃは、それぞれＥ−ＤＰＤＣＨ、ＤＰＣＣＨ、およびＥ−ＤＰＣＣＨの増幅ゲインであり、βｂｅｃは、ブーストＥ−ＤＰＣＣＨの増幅ゲインであり、ＡｅｄおよびＡｅｃは、それぞれＥ−ＤＥＤＣＨ対ＤＰＣＣＨおよび非ブーストＥ−ＤＰＣＣＨ対ＤＰＣＣＨの増幅比であり、Ａｂ−ｅｃは、ブーストＥ−ＤＰＣＣＨ対ＤＰＣＣＨの増幅比であり、Ｂｅｃ＿ｂｏｏｓｔは、Ｅ−ＤＰＣＣＨをブーストさせることによる増幅増加対ＤＰＣＣＨの増幅比である。
【００５２】
これらの方程式は線形および大きさで書かれているが、例えば判定基準において電力上昇を考慮するなど、他の方法によっても導出されうることが当業者によって良く理解されるべきである。例えば、代わりに電力を用いたり、対数領域で計算がなされうる。
【００５３】
例示的な動作では、ＤＰＣＣＨ以外のチャネルの電力が、ＤＰＣＣＨの電力に関して設定されうる。例示的に、ＤＰＣＣＨ電力における１ｄＢの増加によって、他のチャネルのための１ｄＢの電力増加になる。例示的な動作では、電力ブーストが適用される場合、ＵＥは、ＤＰＣＣＨの電力がブーストされていないノミナルＤＰＣＣＨに関して、ＤＰＣＣＨ以外のチャネルの電力を設定する。この例示的な動作では、ＤＰＣＣＨ電力は、ＵＥによって送信されている他のチャネルの電力に悪影響を与えずに任意にブーストされうる。また、例示的に、Ｅ−ＤＰＤＣＨの電力が調節され、ノミナルＤＰＣＣＨ電力に関して、あるいは、ブーストＤＰＣＣＨ電力に関して調節され、指定される。例示的な動作では、データが、Ｅ−ＤＰＤＣＨにおいて、（例えば、送信時間間隔（ＴＴＩ）のような）固定時間間隔で、１または複数の協調する無線端末によって送信されうる。
【００５４】
（パイロット・チャネル最適化）  
図１に示すように、１つの実施形態にしたがった多元接続無線通信システムが例示される。基地局１００（ＢＳ）は、複数のアンテナ・グループを含んでおり、１つが１０４および１０６を含み、別のものが１０８および１１０を含み、さらに別のものが１１２および１１４を含んでいる。図１では、各アンテナ・グループについて２つのアンテナしか示されていないが、それより多くまたはそれより少ないアンテナが、おのおののアンテナ・グループのために利用されうる。ユーザ機器１１６（ＵＥ）は、アンテナ１１２およびアンテナ１１４と通信しており、アンテナ１１２およびアンテナ１１４は、ダウンリンク１２０によってＵＥ１１６へ情報を送信し、アップリンク１１８によってＵＥ１１６から情報を受信する。ＵＥ１２２はアンテナ１０６およびアンテナ１０８と通信しており、アンテナ１０６および１０８は、ダウンリンク１２６でＵＥ１２２に情報を送信し、アップリンク１２４でＵＥ１２２から情報を受信する。ＦＤＤシステムでは、通信リンク１１８、１２０、１２４、１２６は、通信のために異なる周波数を使用することができる。例えば、ダウンリンク１２０は、アップリンク１１８によって使用されるものとは異なる周波数を使用することができる。
【００５５】
通信するように設計されたアンテナおよび／または領域の各グループはしばしば、基地局のセクタと称される。例示的な実施では、アンテナ・グループはおのおの、基地局１００によってカバーされる領域のセクタ内のＵＥと通信するように設計される。
【００５６】
ダウンリンク１２０、１２６による通信では、基地局１００の送信アンテナは、異なるＵＥ１１６、１２４のためのダウンリンクの信号対雑音比を改善するために、ビームフォーミングを利用することができる。
【００５７】
上述するように、基地局は、端末との通信のために使用される固定局であることができ、また、アクセス・ポイント、ノードＢ、あるいはその他幾つかの用語で称されうる。ユーザ機器（ＵＥ）はまた、アクセス端末、無線通信デバイス、端末、あるいはその他幾つかの用語で称されうる。
【００５８】
図２は、本明細書に記載のシステムおよび方法の１または複数の局面と連携して利用される複数の基地局２１０および複数のユーザ機器（ＵＥ）２２０を備えた無線通信システム２００を例示する。必ずしも必要ではないが、基地局は、一般に、端末と通信する固定局であり、アクセス・ポイント、ノードＢ、あるいはその他幾つかの用語で称されうる。おのおのの基地局２１０は、２０２ａ、２０２ｂ、２０２ｃとラベルされた３つの地理的領域に例示するような特定の地理的領域のための通信有効範囲を提供する。用語「セル」は、その用語が使用される文脈に依存して、基地局および／またはその有効範囲領域を称することができる。システム容量を改善するために、基地局有効範囲は、（例えば、図２の有効範囲領域２０２ａにしたがう３つの小さな領域）２０４ａ、２０４ｂ、２０４ｃのような複数の小さな領域に分割されうる。おのおのの小さな領域は、それぞれ基地トランシーバ・サブシステム（ＢＴＳ）によってサービス提供されうる。用語「セクタ」は、その用語が使用される文脈に依存して、ＢＴＳおよび／またはその有効範囲領域を称することができる。セクタ化されたセルの場合、そのセルのすべてのセクタのＢＴＳは、一般に、そのセルの基地局内にともに配置される。本明細書に記載の送信技術は、セクタ化されていないセルを備えたシステムと同様、セクタ化されたセルを備えたシステムのためにも使用されうる。簡略化のために、以下の説明では、用語「基地局」は、セルにサービス提供する固定局のみならず、セクタにサービス提供する固定局に対しても総称的に使用される。
【００５９】
ユーザ機器２２０は、一般に、システム中にわたって分散され、おのおののＵＥは据置式または移動式である。ＵＥはまた、モバイル局、端末、ユーザ・デバイス、あるいはその他幾つかの用語で称されうる。ＵＥは、無線デバイス、セルラ電話、携帯情報端末（ＰＤＡ）、無線モデム・カード等でありうる。おのおのの端末２２０は、与えられた任意の時間において、ダウンリンクおよびアップリンクで、ゼロ、１、または複数の基地局と通信することができる。ダウンリンク（すなわち順方向リンク）は、基地局から端末への通信リンクを称し。アップリンク（すなわち逆方向リンク）は、端末から基地局への通信リンクを称する。
【００６０】
集中型アーキテクチャの場合、システム・コントローラ２３０は、基地局２１０へ連結されており、基地局２１０のための調整および制御を提供する。分散型アーキテクチャの場合、基地局２１０は、必要に応じて互いに通信することができる。ダウンリンクの追加チャネル（例えば、制御チャネル）は、複数の基地局から１つのＵＥへ送信されうる。アップリンク・データ通信は、図１に関連して上述したように、端末２２０または基地局２１０において、１または複数のアンテナを経由して、１つのＵＥから１または複数の基地局へ発生する。
【００６１】
図３Ａは、本明細書に記載のシステムおよび方法の様々な局面にしたがって、パイロット・チャネル最適化を容易にするシステムの典型的な限定しない高レベル・ブロック図を例示する。システム３００Ａは、基地局３０４と無線によって通信可能に接続されたユーザ機器３０４を含む。言い換えれば、基地局３０４は、ダウンリンク３１０でＵＥ３０２に音声サービスおよび／またはデータ・サービスを提供しており、例えばＣＤＭＡまたは単一キャリア周波数分割多元接続（ＳＣ−ＦＤＭＡ）アップリンクのようなアップリンク３１２を介してユーザ機器３０２からの通信を受信している。ユーザ機器３０２は、本来、移動式であり、ＵＥ３０２が別の地理的領域に移ると、基地局３０４から受信する信号に関連する品質が変わる。ユーザ機器３０２は、パイロット・フィードバック・メカニズム３０６を含む。これは、他の機能のなかでもチャネル条件推定をイネーブルするために、本明細書で記述されたスキームにしたがってパイロット信号を効果的にモニタする基地局３０４に位置するパイロット制御メカニズム３０８によって提供される命令群に応答して、ユーザ機器の１または複数の電力制御動作を制御することに応答する。さらに、ＵＥ３０２および／または基地局３０４は、他の機能のなかでもとりわけ、パイロット割当スキームを適応して決定するために使用される関連情報またはデータの通信を容易にするその他の補助的な構成要素を含むことが認識されるべきである。
【００６２】
図３Ｂは、本明細書で説明したシステムおよび方法の様々な局面にしたがってアップリンク・パイロット信号がモニタされるように、複数のＵＥ３０２から信号を受信する基地局３０４を例示する。基地局３０４は、複数（１からＺ、ただしＺは整数）のＵＥ３０２から信号を受信しているものとして示されている。
【００６３】
以下の記述は、ＵＭＴＳの文脈で、ネットワーク（例えば、基地局３０４および／またはシステム・コントローラ２３０）と無線端末（例えば、ＵＥ３０２またはＵＥ２２０）との間のシグナリングに関するさらなる背景情報を提供する。局面では、論理チャネルが、制御チャネルおよびトラフィック・チャネルに分類される。論理制御チャネルは、システム制御情報をブロードキャストするためのダウンリンク（ＤＬ）チャネルであるブロードキャスト制御チャネル（ＢＣＣＨ）と、ページング情報を転送するダウンリンク・チャネルであるページング制御チャネル（ＰＣＣＨ）と、１または幾つかのマルチキャスト・トラフィック・チャネル（ＭＴＣＨ）のための制御情報と、マルチメディア・ブロードキャストおよびマルチキャスト・サービス（ＭＢＭＳ）とを送信するために使用されるポイント・トゥ・マルチポイント・ダウンリンク・チャネルであるマルチキャスト制御チャネル（ＭＣＣＨ）とを備える。一般に、ラジオ・リソース制御（ＲＲＣ）接続を確立した後、このチャネルは、ＭＢＭＳを受信するＵＥ３０２によってのみ使用される。専用制御チャネル（ＤＣＣＨ）は、専用制御情報を送信するポイント・トゥ・ポイント双方向チャネルであり、ＲＲＣ接続を有するＵＥ３０２によって使用される。さらなる局面では、論理トラフィック・チャネルは、ポイント・トゥ・ポイント双方向チャネルでありユーザ情報の転送のために１つのＵＥに専用の専用トラフィック・チャネル（ＤＴＣＨ）を備える。また、トラフィック・データを送信するポイント・トゥ・マルチポイント・ダウンリンクのためのＭＴＣＨを備える。
【００６４】
さらなる局面では、輸送チャネルが、ダウンリンクとアップリンクに分類される。ダウンリンク輸送チャネルは、専用チャネル（ＤＣＨ）、ブロードキャスト・チャネル（ＢＣＨ）、フォワード・アクセス・チャネル（ＦＡＣＨ）、高速ダウンリンク共有チャネル（ＨＳ−ＤＳＣＨ）、および、セル全体にブロードキャストされ、他の制御／トラフィック・チャネルのために使用されるＰＨＹリソースへマップされたページング・チャネル（ＰＣＨ）を備えるアップリンク輸送チャネルは、専用チャンネル（ＤＣＨ）、エンハンスト専用チャンネル（Ｅ−ＤＣＨ）、およびランダム・アクセス・チャネル（ＲＡＣＨ）を備える。ＰＨＹチャネルは、ＤＬチャネルおよびＵＬチャネルからなるセットを備える。
【００６５】
本発明の特定の限定しない実施形態の記述のために、以下の名称が使用される。当業者であれば、開示した発明の精神から逸脱することなく様々な修正がなされうることを認識するだろう。したがって、本明細書の記載は、特許請求の範囲のスコープを維持しながら実現される多くの実施形態のうちのほんの１つであることが理解されるべきである。ＨＳ−ＤＳＣＨは、高速ダウンリンク共有チャネルであり、ＣＰＩＣＨは、共通パイロット・チャネルであり、スロットは、０．６６６ミリ秒（ｍｓ）の時間持続である。
【００６６】
図４は、典型的な限定しないパイロット最適化の例示的な実施を示す。図示するように、無線通信システム４００は、ユーザ機器４０２および基地局４０４を備える。これらは、通信チャネル４１２、４１０（例えば、パイロット・チャネル）を介してデータおよび動作信号を通信することができる。例示的な動作では、基地局パイロット制御メカニズム４０８は、ユーザ機器４０２においてパイロット・チャネル条件をモニタする。これによって、１または複数の電力条件信号（図示せず）が、１または複数の選択された条件（例えば、高データ・レート）にしたがってユーザ機器４０２のパイロット・チャネルの電力を制御する（例えば、パイロット・ブーストを実行する）ユーザ機器電力制御メカニズム４０６へ提供されうる。電力制御は、本明細書に記載された（すなわち、「パイロット・ブースト」セクションで記載されたような）例示される動作のうちの１または複数にしたがって実行されうる。
【００６７】
図５に示すように、無線通信環境内で適用される通信装置５００が例示される。この装置５００は、基地局３０４あるいはその一部、または、ユーザ機器３０２あるいはその一部（例えば、プロセッサに接続されたセキュア・デジタル（ＳＤ）カード）でありうる。装置５００は、信号処理、通信のスケジューリング、測定ギャップの要求等に関する様々な命令群を保持するメモリ５０２を含みうる。例えば、装置５００が、図１１、１２および１５に関して以下に述べるようなユーザ機器である場合、メモリ５０２は、特定の基地局に関するアップリンク・チャネルおよび／またはダウンリンク・チャネルにおける信号の品質を分析するための命令群を含みうる。さらに、メモリ５０２は、パイロット・チャネル最適化のための命令群を備えることができる。その目的のために、メモリ５０２は、予め定められたスキームにしたがったパイロット・チャネル最適化を容易にするために、本明細書に記載のシステムおよび方法の様々な局面にしたがって、基地局３０４からアップリンク・パイロット・チャネル・データを受信し、それを処理するための命令群を備えうる。さらに、メモリ５０２は、最適化されたパイロット・チャネルの送信を容易にするための命令群を備えうる。上記命令群の例およびその他適切な命令群は、メモリ５０２内に保持されうる。そして、プロセッサ５０４は、（例えば、アクティブなストリームの数、周波数開始位置等に依存して）これら命令群を実行することに関連して利用されうる。
【００６８】
また、上述したように、装置５００は、図９、１０および１４に関連して以下に記載するような基地局および／またはその一部でありうる。一例として、メモリ５０２は、装置５００によってサービス提供されているユーザ機器が、他の技術および／または周波数に関する測定を行っていることを示す表示を受信するための命令群を含みうる。メモリ５０２はさらに、本明細書に記載のシステムおよび方法の様々な局面にしたがって、予め定められたスキームにしたがって、ＵＥ３０２における１または複数の電力制御動作の実行を容易にするために、アップリンク・パイロット・チャネル・データを決定し、それを送信するための命令群を含みうる。その目的のために、メモリ５０２はさらに、最適化されたパイロット・チャネルの受信を容易にするための命令群を含みうる。プロセッサ５０４は、メモリ５０２内に保持された命令群を実行するために使用されうる。幾つかの例が提供されたが、（例えば、図６、７のような）方法論の形態で記述される命令群が、メモリ５０２内部に含まれ、プロセッサ５０４によって実行されることが理解される。
【００６９】
図６および図７に示すように、様々な例示的な実施にしたがってパイロット・チャネル電力条件を最適化するための特定の高レベルな方法論が例示される。説明を単純にするために、これら方法論は一連の動作として示され説明されているが、これら方法論は、この動作順に限定されず、幾つかの動作が、本明細書で示され説明されたものとは異なる順序でなされたり、および／または、他の動作と同時になされうることが理解され認識されるべきである。例えば、当業者であれば、方法論は、例えば状態図のような一連の相互関連する状態またはイベントとして表すこともできることを理解し認識するだろう。さらに、１または複数の実施形態にしたがって方法論を実施するために、必ずしも例示されたすべての動作が利用される訳ではない。
【００７０】
図６は、本明細書に記載されたパイロット最適化スキームに関するアップリンク・パイロット最適化を容易にする１つの特定の高レベルな方法論６００を例示する。６０４では、パイロット・チャネルの電力の予め定められた関数にしたがって、パイロット最適化スキームを容易にするために、必要なアップリンク・チャネル情報が、基地局３０４またはその一部によって決定される。６０６では、１または複数のＵＥ３０２からのそれぞれのアップリンク・パイロット・チャネル情報が、このパイロット・チャネル条件および／または状態に関連する予め定められた関数にしたがって、ＵＥ３０２パイロット最適化を容易にする。６０８では、ＵＥ３０２が、予め定められた機能およびそれぞれのアップリンク・パイロット・チャネル情報にしたがって、基地局３０４またはその一部からパイロット最適化コマンドを受信し、それを処理する。
【００７１】
図７は、本明細書に記載されたパイロット最適化スキームに関してアップリンク・パイロット最適化を容易にするための１つの特定の高レベルな方法論７００を例示する。７０４において、基地局３０４あるいはその一部からそれぞれのアップリンク・パイロット・チャネルを受信すると、ＵＥ３０２あるいはその一部は、７０６において、アップリンク・パイロット・チャネル情報の予め定めた関数にしたがって、パイロット・チャネルの電力を制御する。７０６では、ＵＥ３０２あるいはその一部は、電力制御されたパイロットを送信する。
【００７２】
図８は、セルＩ  ８０２およびセルＭ  ８０４といった複数のセルを含む様々な局面にしたがって実現される通信システム８００の一例を示す。近隣セル８０２、８０４は、セル境界領域８６８に示すように、僅かにオーバラップしており、おのおのが２つの隣接セル間で共有される近隣セル境界領域内にある基地局によって送信される信号間で信号干渉が生じる可能性があることに着目されたい。
【００７３】
セクタ境界領域は、近隣セクタにある基地局によって送信された信号間での信号干渉が生じる可能性がある。ライン８１６は、セクタＩ  ８１０とセクタＩＩ  ８１２との間のセクタ境界領域を表し、ライン８１８は、セクタＩＩ  ８１２とセクタＩＩＩ  ８１４との間のセクタ境界領域を表し、ライン８２０は、セクタＩＩＩ  ８１４とセクタＩ  ８１０との間のセクタ境界領域を表す。同様に、セルＭ  ８０４は、第１のセクタであるセクタＩ  ８２２、第２のセクタであるセクタＩＩ  ８２４、および第３のセクタであるセクタＩＩＩ  ８２６を含んでいる。ライン８２８は、セクタＩ  ８２２とセクタＩＩ  ８２４との間のセクタ境界領域を表し、ライン８３０は、セクタＩＩ  ８２４とセクタＩＩＩＩ  ８２６との間のセクタ境界領域を表し、ライン８３２は、セクタＩＩＩ  ８２６とセクタＩ  ８２２との間のセクタ境界領域を表す。セルＩ  ８０２は、基地局（ＢＳ）である基地局Ｉ  ８０６と、セクタ８１０、８１２、８１４のおのおのにおける複数のエンド・ノード（ＥＮ）（例えば、無線端末）を含んでいる。セクタＩ  ８１０は、無線リンク８４０、８４２それぞれを介してＢＳ８０６に接続されたＥＮ（１）８３６とＥＮ（Ｘ）８３８とを含む。セクタＩＩ  ８１２は、無線リンク８４８、８５０それぞれを介してＢＳ８０６に接続されたＥＮ（１’）８４４とＥＮ（Ｘ’）８４６とを含む。セクタＩＩＩ  ８１４は、無線リンク８５６、８５８それぞれを介してＢＳ８０６に接続されたＥＮ（１’’）８５２とＥＮ（Ｘ’’）８５４とを含む。同様に、セルＭ  ８０４は、基地局Ｍ  ８０８と、セクタ８２２、８２４、８２６のおのおのにおける複数のエンド・ノード（ＥＮ）を含んでいる。セクタＩ  ８２２は、無線リンク８４０’、８４２’それぞれを経由してＢＳ  Ｍ  ８０８に接続されたＥＮ（１）８３６’およびＥＮ（Ｘ）８３８’を含む。セクタＩＩ  ８２４は、無線リンク８４８’、８５０’それぞれを経由してＢＳ  Ｍ  ８０８に接続されたＥＮ（１’）８４４’、ＥＮ（Ｘ’）８４６’を含む。セクタＩＩＩ  ８２６は、無線リンク８５６’、８５８’それぞれを経由してＢＳ  ８０８に接続されたＥＮ（１’’）８５２’、ＥＮ（Ｘ’’）８５４’を含む。
【００７４】
システム８００はまた、ネットワーク・リンク８６２、８６４それぞれを経由してＢＳ  Ｉ  ８０６およびＢＳ  Ｍ  ８０８に接続されたネットワーク・ノード８６０を含む。ネットワーク・ノード８６０はまた、ネットワーク・リンク８６６を経由して、例えば他の基地局、ＡＡＡサーバ・ノード、中間ノード、ルータ等のようなその他のネットワーク・ノードおよびインターネットにも接続される。ネットワーク・リンク８６２、８６４、８６６は、例えば光ファイバ・ケーブルでありうる。例えばＥＮ（１）８３６のような各エンド・ノードは、受信機のみならず送信機をも含む無線端末でありうる。例えばＥＮ（１）８３６のような無線端末は、システム８００中を移動することができ、無線リンクを経由して、ＥＮが現在位置しているセル内の基地局と通信することができる。例えばＥＮ（１）８３６のような無線端末は、例えばＢＳ８０６のような基地局および／またはネットワーク・ノード８６０を経由して、例えばシステム８００内あるいはシステム８００外の他のＷＴのようなピア・ノードと通信することができる。例えば、ＥＮ（１）８３６のようなＷＴは、セル電話、無線モデムを備えた情報携帯端末等のようなモバイル通信デバイスでありうる。それぞれの基地局またはそれらの一部は、パイロット・アップリンク・チャネル情報の決定および送信を実行することができる。さらに、それぞれの基地局またはそれらの一部は、本明細書で提供された様々な局面にしたがってアップリンク・パイロット・デマルチプレクスを実行することができる。無線端末またはそれらの一部は、本明細書で提供された様々な局面にしたがった多くのアクティブ・ストリームの予め定められた関数にしたがって、一度にパイロット・チャネル帯域幅および周波数位置をＳＢ４０２毎に変えることによってパイロットの適応的な多重化を容易にするために、提供されたそれぞれのアップリンク・パイロット・チャネル情報を用いうる。さらに、無線端末およびそれらの一部は、多重化されたパイロットをそれぞれの基地局へ送信することができる。
【００７５】
図９は、ユーザ機器に関する適応アップリンク・パイロット多重化スキームに関連して利用されるシステムを例示する。システム９００は、１または複数の受信アンテナ９０６を経由して１または複数のユーザ・デバイス９０４から信号を受信し、複数の送信アンテナ９０８を介して１または複数のユーザ・デバイス９０４へ送る受信機９１０を備えうる。一例において、受信アンテナ９０６および送信アンテナ９０８は、１セットのアンテナを用いて実現されうる。受信機９１０は、受信アンテナ９０６から情報を受信し、受信した情報を復調する復調器９１２と動作可能に関連している。受信機９１０は、当業者によって認識されるように、例えば、レーキ受信機（例えば、複数のベースバンド相関を用いてマルチ・パス信号成分を個別に処理する技術、等）。ＭＭＳＥベース受信機、あるいは、割り当てられたユーザ・デバイスを分けるその他幾つかの適切な受信機でありうる。例えば、（例えば、受信アンテナについて１つの）複数の受信機が適用され、そのような受信機が、互いに通信して、改善されたユーザ・データ推定値を提供する。復調されたシンボルは、図１１に関して後述するようなプロセッサ１１０６に類似しメモリ９１６に接続されたプロセッサ９１４によって分析される。メモリ９１６は、ユーザ・デバイス割当、関連するルックアップ・テーブル等に関する情報を格納する。おのおののアンテナの受信機出力は、受信機９１０および／またはプロセッサ９１４によって共同して処理されうる。変調器９１８は、送信アンテナ９０８を介して送信機９２０によってユーザ・デバイス９０４へ送信される信号を多重化する。
【００７６】
図１０は、本発明の様々な局面にしたがった基地局１０００の一例を例示する。基地局１０００あるいはそれらの一部は、本明細書に記載のシステムおよび方法の様々な局面を実施する。例えば、基地局１０００は、関連するユーザ機器において、適応パイロット多重化を容易にするために、次の送信のためのパイロット・アップリンク・チャネル情報を決定することができる。基地局１０００は、図８のシステム８００の基地局８０６、８０８のうちの任意の１つとして使用されうる。基地局１０００は、様々な要素１００２、１００４、１００６、１００８、１０１０がデータおよび情報を交換するバス１００９に共に接続された受信機１００２、送信機１００４、例えばＣＰＵのようなプロセッサ１００６、入力／出力インタフェース１００８、メモリ１０１０を含む。
【００７７】
１または複数の受信アンテナを備えうる受信機１００２に接続されたセクタ化アンテナ１００３は、基地局のセル内のおのおののセクタからの無線端末送信から、データや例えばチャネル・レポートのようなその他の信号を受信するために使用される。送信機１００４に接続されたセクタ化アンテナ１００５は、基地局のセルのおのおののセクタ内の無線端末１２００（図１２参照）へ、データおよび例えば制御信号、パイロット信号、ビーコン信号等のようなその他の信号を送信するために使用される。様々な局面において、基地局１０００は、例えばおのおののセクタ用の個々の受信機１００２、およびおのおののセクタ用の個々の送信機１００４のように、複数の受信機１００２と複数の送信機１００４とを用いる。上述したように、様々な変形が可能であることが認識されるべきである。例えば、ＳＵ−ＭＩＭＯシステムでは、基地局およびユーザ機器において、複数の送信アンテナおよび受信アンテナ等が使用されうる。同様に、ＳＤＭＡシステムの場合、複数のユーザが、複数の送信アンテナ、受信アンテナ、および受信機を有する基地局からの信号を送受信することができる。プロセッサ１００６は、例えば汎用中央処理装置（ＣＰＵ）でありうる。プロセッサ１００６は、メモリ１０１０に格納された１または複数のルーチン１０１８の指示の下、基地局１０００の動作を制御し、方法を実施する。Ｉ／Ｏインタフェース１００８は、他のネットワーク・ノードへの接続を提供し、ＢＳ１０００を他の基地局、アクセス・ルータ、ＡＡＡサーバ・ノード等や、他のネットワーク、およびインターネットへ接続する。メモリ１０１０は、ルーチン１０１８およびデータ／情報１０２０を含む。
【００７８】
データ／情報１０２０は、データ１０３６、ダウンリンク・ストリップ・シンボル時間情報１０４０とダウンリンク・トーン情報１０４２とを含むトーン・サブセット割当シーケンス情報１０３８、ＷＴ  １情報１０４６およびＷＴ  Ｎ情報１０６０からなるＷＴ情報の複数のセットを含む無線端末（ＷＴ）データ／情報１０４４を含む。例えばＷＴ  １情報１０４６のようなＷＴ情報のおのおののセットは、データ１０４８、端末ＩＤ１０５０、セクタＩＤ１０５２、アップリンク・チャネル情報１０５４、ダウンリンク・チャネル情報１０５６、およびモード情報１０５８を含む。
【００７９】
ルーチン１０１８は、通信ルーチン１０２２および基地局制御ルーチン１０２４を含む。基地局制御ルーチン１０２４は、ストリップ・シンボル期間のためのトーン・サブセット割当ルーチン１０３０、残りのシンボル期間のためのその他のダウンリンク・トーン割当ホッピング・ルーチン１０３２、およびビーコン・ルーチン１０３４を含むシグナリング・ルーチン１０２８と、スケジューラ・モジュール１０２６とを含む。
【００８０】
データ１０３６は、ＷＴへの送信前の符号化のために送信機１００４のエンコーダ１０１４へ送られる送信用データと、受信にしたがって受信機１００２のデコーダ１０１２によって処理されたＷＴからの受信データとを含む。ダウンリンク・ストリップ・シンボル時間情報１０４０は、例えばスーパスロット構造情報、ビーコンスロット構造情報、およびウルトラ・スロット構造情報のようなフレーム同期構造情報と、与えられたシンボル期間がストリップ・シンボル期間であるかを指定し、もしもそうであれば、ストリップ・シンボル期間のインデクスであり、さらに、このストリップ・シンボルが基地局によって使用されるトーン・サブセット割当シーケンスを切り詰めるリセット・ポイントであるかを指定する情報とを含む。ダウンリンク・トーン情報１０４２は、基地局１０００に割り当てられたキャリア周波数と、トーンの数および周波数と、ストリップ・シンボル期間に割り当てられるトーン・サブセットのセットと、例えばスロープ、スロープ・インデクス、およびセクタ・タイプのようにその他のセルおよびセクタに特有の値とを含む。
【００８１】
データ１０４８は、ＷＴ１  １２００がピア・ノードから受信したデータ、ＷＴ１  １２００がピア・ノードへ送信されることを望むデータ、および、チャネル品質レポート・フィードバック情報を含む。端末ＩＤ  １０５０は、基地局１０００に割り当てられたＩＤであり、ＷＴ１  １２００を識別する。セクタＩＤ  １０５２は、ＷＴ１  １２００が動作しているセクタを識別する情報を含む。セクタＩＤ  １０５２は、例えば、セクタ・タイプを判定するために使用されうる。アップリンク・チャネル情報１０５４は、例えば、データのためのアップリンク・トラフィック・チャネル・セグメント、要求のための専用アップリンク制御チャネル、電力制御、タイミング制御、アクティブ・ストリームの数等のように、ＷＴ１  １２００が使用するためにスケジューラ１０２６によって割り当てられたチャネル・セグメントを識別する情報を含む。ＷＴ１  １２００に割り当てられたおのおののアップリンク・チャネルは、１または複数の論理トーンを含む。おのおのの論理トーンは、本発明の様々な局面にしたがうアップリンク・ホッピング・シーケンスにしたがう。ダウンリンク・チャネル情報１０５６は、例えばユーザ・データのためのダウンリンク・トラフィック制御セグメントのようなデータおよび／または情報をＷＴ１  １２００へ搬送するために、スケジューラ１０２６によって割り当てられたチャネル・セグメントを識別する情報を含む。ＷＴ１  １２００に割り当てられたおのおののダウンリンク・チャネルは、おのおのダウンリンク・ホッピング・シーケンスにしたがう１または複数の論理トーンを含む。モード情報１０５８は、例えばスリープ、ホールド、オン等のようなＷＴ１  １２００の動作状態を識別する情報を含む。
【００８２】
通信ルーチン１０２２は、様々な通信動作の実行、および様々な通信プロトコルの実施を行う基地局１０００を制御する。基地局制御ルーチン１０２４は、例えば信号生成、受信、およびスケジューリングのような基本的な基地局機能タスクの実行、および、ストリップ・シンボル期間中にトーン・サブセット割当シーケンスを用いて信号を無線端末へ送信することを含む幾つかの局面の方法ステップの実施を行う基地局１０００を制御するために使用される。
【００８３】
シグナリング・ルーチン１０２８は、デコーダ１０１２を備えた受信機１００２、および、エンコーダ１０１４を備えた送信機１００４の動作を制御する。シグナリング・ルーチン１０２８は、送信されるデータ１０３６および制御情報の生成を制御することを担当する。トーン・サブセット割当ルーチン１０３０は、本局面の方法を用いて、および、ダウンリンク・ストリップ・シンボル時間情報１０４０およびセクタＩＤ１０５２を含むデータ／情報１０２０を用いて、ストリップ・シンボル期間において使用されるトーン・サブセットを構築する。ダウンリンク・トーン・サブセット割当シーケンスは、セル内のおのおののセクタ・タイプで、および、隣接セルで異なるであろう。ＷＴ１２００は、ダウンリンク・トーン・サブセット割当シーケンスにしたがって、ストリップ・シンボル期間において信号を受信し、基地局１０００は、送信される信号を生成するために、同一のダウンリンク・トーン・サブセット割当シーケンスを用いる。その他のダウンリンク・トーン割当ホッピング・ルーチン１０３２は、ストリップ・シンボル期間以外のシンボル期間のために、ダウンリンク・トーン情報１０４２およびダウンリンク・チャネル情報１０５６を含む情報を用いて、ダウンリンク・トーン・ホッピング・シーケンスを構築する。ダウンリンク・データ・トーン・ホッピング・シーケンスは、セルのセクタにわたって同期化される。ビーコン・ルーチン１０３４は、例えばダウンリンク信号のフレーム・タイミング構造を同期化するために、例えば、１または少数のトーンに集中された比較的高い電力信号のシグナルのように、同期化目的のために使用されるビーコン信号の送信、つまり、ウルトラ・スロット境界に関するトーン・サブセット割当シーケンスを制御する。
【００８４】
図１１は、本明細書に記載されるようなパイロット最適化スキームに関連して利用されうるシステム１１００を例示する。システム１１００は、例えば１または複数の受信アンテナからの信号の受信、受信した信号に対する一般的な動作（例えば、フィルタ、増幅、ダウンコンバート等）、これら調整された信号のデジタル化、ならびに、サンプルの取得を行う受信機１１０２を備える。パイロット制御メカニズム１１０４は、チャネル推定のために、受信したパイロット・シンボルをプロセッサ１１０６へ提供する。
【００８５】
プロセッサ１１０６は、受信機構成要素１１０２によって受信された情報の分析、および／または、送信機１１１４による送信のための情報の生成に特化されたプロセッサでありうる。プロセッサ１１０６は、システム１１００の１または複数の部分を制御するプロセッサ、および／または、受信機１１０２によって受信された情報の分析、送信機１１１４によって送信される情報の生成、システム１１００のうちの１または複数の部分の制御を行うプロセッサでありうる。システム１１００は、１または複数の技術および／または周波数に関する測定の実行前、実行中、および／または実行後に、ユーザ機器のパフォーマンスを最適化することができる。最適化構成要素１１０８は、プロセッサ１１０６に組み込まれうる。最適化構成要素１１０８は、要求する測定ギャップに関連してユーティリィ・ベースの分析を実行する最適化コードを含みうることが認識されるべきである。この最適化コードは、推論実行に関連する人工知能ベースの方法、および／または、スキームの符号化および復号に関連する確率論的判定および／または統計ベースの判定を利用しうる。
【００８６】
システム（ユーザ機器）１１００はさらに、動作可能にプロセッサ１１０６に接続され例えば測定ギャップ情報、スケジューリング情報等のような情報を格納するメモリ１１１０を備えうる。これらの情報は、要求する測定ギャップを割り当てることと、測定ギャップ中に測定を実行することとに関連して適用されうる。メモリ１１１０はさらに、ルックアップ・テーブル等を生成することに関連するプロトコルを格納し、これによって、システム１１００は、システム容量を高めるために、格納されたプロトコルおよび／またはアルゴリズムを適用することができる。本明細書に記載されたデータ・ストア（例えば、メモリ）構成要素は、揮発性メモリまたは不揮発性メモリの何れかであるか、あるいは、揮発性メモリと不揮発性メモリとの両方でありうることが認識されるだろう。限定ではなく例示によって、不揮発性メモリは、読取専用メモリ（ＲＯＭ）、プログラマブルＲＯＭ（ＰＲＯＭ）、電子的プロラマブルＲＯＭ（ＥＰＲＯＭ）、電子的消去可能ＲＯＭ（ＥＥＰＲＯＭ）、またはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。メモリ１１１０は、限定される訳ではないが、これらのタイプのメモリ、あるいはその他任意の適切なタイプのメモリを備えることが意図される。プロセッサ１１０６は、シンボル・パイロット・フィードバック・メカニズム１１１２と、変調された信号を送信する送信機１１１４とに接続される。
【００８７】
図１２は、無線端末（例えば、図８のシステム８００のＥＮ（１）８３６）のうちの任意の１つとして使用されうる典型的な無線端末（例えば、エンド・ノード、モバイル・デバイス等）１２００を例示する。無線端末１２００は、様々な要素１２０２、１２０４、１２０６、１２０８がデータおよび情報を交換することができるバス１２１０によって共に接続された、デコーダ１２１２を含む受信機１２０２と、エンコーダ１２１４を含む送信機１２０４と、プロセッサ１２０６と、メモリ１２０８とを含む。基地局からの信号を受信するために使用されるアンテナ１２０３が、受信機１２０２に接続される。例えば基地局へ信号を送信するために使用されるアンテナ１２０５が、送信機１２０４に接続される。上述したように、様々な変形が可能であることが認識されるべきである。例えば、ＳＵ−ＭＩＭＯシステムでは、基地局およびユーザ機器において、複数の送信アンテナおよび受信アンテナが使用されうる。同様に、ＳＤＭＡシステムの場合、複数のユーザが、複数の送信アンテナおよび受信アンテナを有する基地局から信号を送信および受信等することができる。
【００８８】
例えばＣＰＵのようなプロセッサ１２０６が無線端末１２００の動作を制御する。そして、メモリ１２０８内のルーチン１２２０を実行し、データ／情報１２２２を用いることによって方法を実施する。
【００８９】
データ／情報１２２２は、ＯＦＤＭＡ通信システムの例の場合、ユーザ・データ１２３４、ユーザ情報１２３６、およびトーン・サブセット割当シーケンス情報１２５０を含む。ユーザ・データ１２３４は、送信機１２０４によって基地局１００へ送信される前に符号化されるためにエンコーダ１２１４へと送られる、ピア・ノードに向けられたデータと、基地局１０００から送られ受信機１２０２内のデコーダ１２１２によって処理されたデータとを含みうる。ユーザ情報１２３６は、アップリンク・チャネル情報１２３８、ダウンリンク・チャネル情報１２４０、端末ＩＤ情報１２４２、基地局ＩＤ情報１２４４、セクタＩＤ情報１２４６、およびモード情報１２４８を含む。アップリンク・チャネル情報１２３８は、無線端末１２００が基地局１０００へ送信する場合に利用するために、基地局１０００によって割り当てられたアップリンク・チャネル・セグメントを識別する情報を含む。アップリンク・チャネルは、アップリンク・トラフィック・チャネルや、例えば要求チャネル、電力制御チャネル、およびタイミング制御チャネルのような専用アップリンク制御チャネルを含みうる。ＯＦＤＭＡ通信システムの典型的な場合では、おのおののアップリンク・チャネルは、１または複数の論理トーンを含む。おのおのの論理トーンは、アップリンク・トーン・ホッピング・シーケンスにしたがう。幾つかの実施形態では、アップリンク・ホッピング・シーケンスは、セルの各セクタ・タイプで、および、隣接セル間で異なる。
【００９０】
ダウンリンク・チャネル情報１２４０は、基地局がデータ／情報をＷＴ１２００へ送信しているとき、ＷＴ１２００が使用するために基地局によって割り当てられたダウンリンク・チャネル・セグメントを識別する情報を含む。ダウンリンク・チャネルは、ダウンリンク・トラフィック・チャネルおよび割当チャネルを含む。これらはおのおの１または複数の論理トーンを含み、おのおのの論理トーンは、セルの各セクタの間で同期化されるダウンリンク・ホッピング・シーケンスにしたがう。
【００９１】
ユーザ情報１２３６はまた、基地局１０００が割り当てた識別情報である端末ＩＤ情報１２４２と、ＷＴが通信を確立した特定の基地局１０００を識別する基地局ＩＤ情報１２４４と、ＷＴ１２００が現在位置しているセルの特定のセクタを識別するセクタＩＤ情報１２４６とを含む。ＯＦＤＭＡ通信システムの例では、基地局ＩＤ１２４４が、セル・スロープ値を提供し、セクタＩＤ情報１２４６が、セクタ・インデクス・タイプを提供し、セル・スロープ値およびセクタ・インデクス・タイプが、トーン・ホッピング・シーケンスを導出するために使用される。ユーザ情報１２３６には、ＷＴ１２００がスリープ・モードであるか、ホールド・モードであるか、あるいはオン・モードであるかを識別するモード情報１２４８が含まれる。
【００９２】
幾つかのＯＦＤＭＡ実施形態では、トーン・サブセット割当シーケンス情報１２５０が、ダウンリンク・ストリップ・シンボル時間情報１２５２と、ダウンリンク・トーン情報１２５４とを含む。ダウンリンク・トーン情報１２５４は、基地局１０００に割り当てられたキャリア周波数を含む情報と、トーンの周波数および数、ストリップ・シンボル期間に割り当てられるべきトーン・サブセットのセットの数、および他のセルの数と、例えばスロープ、スロープ・インデクス、およびセクタ・タイプのようなセクタ特有の値とを含む。
【００９３】
ルーチン１２２０は、通信ルーチン１２２４および無線端末制御ルーチン１２２６を含む。通信ルーチン１２２４は、ＷＴ１２００によって使用される様々な通信プロトコルを制御する。無線端末制御ルーチン１２２６は、受信機１２０２および送信機１２０４の制御を含む基本的無線端末１２００の機能を制御する。無線端末制御ルーチン１２２６は、シグナリング・ルーチン１２２８を含む。幾つかのＯＦＤＭＡ実施形態では、トーン・サブセット割当ルーチン１２３０は、幾つかの実施形態にしたがってダウンリンク・トーン・サブセット割当シーケンスを生成し、かつ、基地局１０００から送信された受信データを処理するために、ダウンリンク・チャネル情報１２４０、例えばスロープ・インデクスおよびセクタ・タイプのような基地局ＩＤ情報１２４４、および、ダウンリンク・トーン情報１２５４を含むユーザ・データ／情報１２２２を使用する。
【００９４】
幾つかの例示的な実施の技術は、ソフトウェア、ハードウェア、および／または、ソフトウェアとハードウェアとの組み合わせを用いて実施されうる。幾つかの実施形態は、例えばモバイル端末、基地局、または、幾つかの例示的な実装を実現する通信システムのようなモバイル・ノードである装置に向けられる。幾つかの例示的な実施はまた、幾つかの例示的な実施にしたがって、例えばホストのような通信システム、基地局、および／またはモバイル・ノードの制御および／または操作を行う方法のような方法に向けられる。幾つかの例示的な実施はまた、幾つかの例示的な実施にしたがって１または複数のステップを実施する機械を制御するための機械読取可能な命令群を含む例えばＲＯＭ、ＲＡＭ、ＣＤ、ハード・ディスク等のような機械読取可能媒体にも向けられる。
【００９５】
本明細書に記載された例示的な様々なノードは、例えば信号処理、メッセージ生成および／または送信のような幾つかの例示的な実施からなる１または複数の方法に対応するステップを実行する１または複数のモジュールを用いて実現される。したがって、幾つかの例示的な実施では、幾つかの例示的な実施の様々な特徴が、モジュールを用いて実現される。そのようなモジュールは、ソフトウェア、ハードウェア、あるいはソフトウェアとハードウェアとの組み合わせを使用して実現することができる。上述された方法または方法ステップの多くは、例えば１または複数のノードのような上述したノードのすべてまたは一部を実現する追加ハードウェアを備えたあるいは備えていない汎用コンピュータのような機械を制御するために、例えばＲＡＭ、フロッピー（登録商標）ディスク等のメモリ・デバイスのような機械読取可能媒体に含まれた例えばソフトウェアのような機械実行可能命令群を用いて実現されうる。したがって、幾つかの実施形態は、例えばプロセッサや関連ハードウェアのような機械に対して、上述した方法のステップのうちの１または複数を実行させる機械読取可能命令群を含む機械読取可能媒体に向けられる。
【００９６】
上述した例示的な実施からなる方法および装置に関する多くのさらなるバリエーションが、幾つかの例示的な実施の記述を参照して、当業者に明らかになるであろう。そのようなバリエーションは、それぞれの例示的な実施のスコープ内にあると考えられるべきである。幾つかの例示的な実施、および幾つかの実施形態における方法および装置は、ＣＤＭＡ、直交周波数分割多重化（ＯＦＤＭ）、ＳＣ−ＦＤＭＡ、および／または、アクセス・ノードとモバイル・ノードとの間の無線通信リンクを提供するために使用されるその他の様々なタイプの通信技術と共に使用されうる。幾つかの例示的な実施では、アクセス・ノードは、ＯＦＤＭおよび／またはＣＤＭＡを用いてモバイル・ノードと通信リンクを確立する基地局として実現される。様々な実施形態では、モバイル・ノードは、ノートブック・コンピュータ、情報携帯端末（ＰＤＡ）、あるいは、これら幾つかの実施形態の方法を実現するための受信機回路／送信機回路およびロジックおよび／またはルーチンを含むその他のポータブル・デバイスとして実現されうる。
【００９７】
本明細書に記載の１または複数の局面にしたがって、アップリンク・パイロット・チャネル情報を決定することに関する推論がなされることが認識されるだろう。本明細書で使用されるように、「推論する」または「推論」なる用語は一般に、イベントおよび／またはデータを介して取得された観察のセットから、システム、環境および／またはユーザ、モバイル・デバイス、アクティブ・アップリンク・ストリーム、および基地局の状態を推論するか、あるいはそれに関する理由付けをする処理を称する。推論は、特定の文脈または動作を識別するために使用することができるか、あるいは、例えば、状態にわたった確率分布を生成することができる。推論は、確率論的である。すなわち、データおよびイベントの考慮に基づく当該状態にわたる確率分布の計算である。推論はまた、イベントおよび／またはデータのセットから、より高レベルのイベントを構成するために適用される技術をも称する。そのような推論の結果、これらイベントが時間的に近接して相関してようといまいと、これらイベントおよびデータが、１または幾つかのイベント・ソースおよびデータ・ソースから由来していようといまいと、観察されたイベントおよび／または格納されたイベント・データのセットから、新たなイベントまたはアクションを構築することができる。
【００９８】
例によれば、上述した１または複数の方法は、適応性のあるアップリンク・パイロット多重化を容易にするアクティブなアップリンク・ストリームを決定することに関する推論を行うことを含む。別の例によれば、推論は、アップリンク・パイロット信号のセットに基づいて、１または複数の望まれない信号から弁別可能な所望の信号の確率を推定することに関連してなされる。前述した例は本質的に例示的であり、なされうる推論の数、あるいは、そのような推論が本明細書に記載の様々な実施形態および／または方法に関連してなされる方法に限定されることは意図されていないことが認識されるだろう。
【００９９】
図１３は、本発明の様々な局面にしたがったパイロット最適化を組み込んだ通信システムの限定しない典型的なブロック図を例示しており、ＭＩＭＯシステム１３００における送信機システム１３１０（例えば、基地局、基地局等）と受信機システム１３５０（ＵＥ、ユーザ機器、モバイル・ノード）がある。送信機システム１３１０では、多くのデータ・ストリームのためのトラフィック・データが、データ・ソース１３１２から送信（ＴＸ）データ・プロセッサ１３１４へ提供される。例示的な実施では、おのおののデータ・ストリームが、それぞれの送信アンテナを介して送信される。ＴＸデータ・プロセッサ１３１４は、符号化されたデータを提供するために、そのデータ・ストリームのために選択された特定の符号化スキームに基づいて、おのおののデータ・ストリームのためのトラフィック・データをフォーマットし、符号化し、インタリーブする。本明細書に記述されたシステムおよび方法の例示的な様々な実施にしたがって、送信機システム１３１０は、受信機システム１３５０にアップリンク・パイロット・チャネル情報を送信することによって、パイロット最適化スキームを容易にする。
【０１００】
おのおののデータ・ストリームのための符号化されたデータは、ＯＦＤＭ技術を用いて、パイロット・データと多重化されうる。パイロット・データは、一般に、既知の方法で処理された既知のデータ・パターンであり、受信機システムにおいて、チャネル応答を推定するために使用されうる。おのおののデータ・ストリームのデータ・レート、符号化、および変調は、プロセッサ１３３０によって実行される命令群によって決定されうる。
【０１０１】
すべてのデータ・ストリームのための変調シンボルは、その後、ＴＸプロセッサ１３２０へ提供される。ＴＸプロセッサ１３２０はさらに、（例えば、ＯＦＤＭのために）この変調シンボルを処理する。ＴＸプロセッサ１３２０はその後、ＮＴ個の変調シンボル・ストリームを、ＮＴ個の送信機（ＴＭＴＲ）１３２２ａ乃至１３２２ｔへ提供する。ある実施形態では、ＴＸプロセッサ１３２０は、ビームフォーミング重みを、データ・ストリームのシンボル、および、このシンボルが送信されるアンテナへ適用する。
【０１０２】
おのおのの送信機１３２２は、シンボル・ストリームをそれぞれ受信して処理し、１または複数のアナログ信号を提供する。そして、さらに、このアナログ信号を調整（例えば、増幅、フィルタ、およびアップコンバート）し、ＭＩＭＯチャネルを介した送信に適した変調信号を提供する。その後、送信機１３２２ａ乃至１３２２ｔからＮＴ個の変調信号が、ＮＴ個のアンテナ１３２４ａ乃至１３２４ｔからそれぞれ送信される。
【０１０３】
受信機システム１３５０では、この送信された変調信号がＮＲ個のアンテナ１３５２ａ乃至１３５２ｒによって受信され、おのおののアンテナ１３５２からの受信信号が、それぞれの受信機（ＲＣＶＲ）１３５４ａ乃至１３５４ｒへ提供される。おのおのの受信機１３５４は、それぞれの受信信号を調整（例えば、フィルタ、増幅、およびダウンコンバート）し、調整した信号をデジタル化して、サンプルを提供する。そしてさらに、このサンプルを処理して、対応する「受信された」シンボル・ストリームを提供する。
【０１０４】
その後、ＲＸデータ・プロセッサ１３６０が、ＮＲ個の受信機１３５４からＮＲ個の受信されたシンボル・ストリームを受け取り、特定の受信機処理技術に基づいて処理し、ＮＴ個の「検出された」シンボル・ストリームを提供する。ＲＸデータ・プロセッサ１３６０は、その後、検出されたシンボル・ストリームのおのおのを復調、デインタリーブ、および復号して、そのデータ・ストリームのためのトラフィック・データを復元する。ＲＸデータ・プロセッサ１３６０による処理は、送信機システム１３１０のＴＸ  ＭＩＭＯプロセッサ１３２０およびＴＸデータ・プロセッサ１３１４によって行なわれる処理と相補的である。
【０１０５】
プロセッサ１３７０は、上述したようにして、どの事前符号化行列を用いるべきかを定期的に決定する。プロセッサ１３７０は、行列インデクス部とランク値部とを備える逆方向リンク・メッセージを規定する。逆方向リンク・メッセージは、通信リンクおよび／または受信されたデータ・ストリームに関する様々なタイプの情報を備える。本発明の様々な局面によれば、送信機システム１３１０からアップリンク・パイロット・チャネル情報をそれぞれ受信することに応答して、受信機システム１３５０は、予め定めた機能にしたがってパイロット・チャネルを最適化する。逆方向リンク・メッセージはその後、多くのデータ・ストリームのトラフィック・データをデータ・ソース１３３６から受信するＴＸデータ・プロセッサ１３３８によって処理され、変調器１３８０によって変調され、送信機１３５４ａ乃至１３５４ｒによって調整され、送信機システム１３１０へ送り戻される。
【０１０６】
送信機システム１３１０では、受信機システム１３５０からの変調信号が、アンテナ１３２４によって受信され、受信機１３２２によって調整され、復調器１３４０によって復調され、ＲＸデータ・プロセッサ１３４２によって処理されて、受信機システム１３５０によって送信された逆方向リンク・メッセージが抽出される。その後、プロセッサ１３３０が、ビームフォーミング重みを決定するためにどの事前符号化行列を用いるのかを決定し、その後、この抽出されたメッセージを処理する。本発明の様々な局面によれば、受信機システム１３５０からの多重化パイロットを受信することに応答して、送信機システム１３１０は、予め定めた機能およびそれぞれのアップリンク・パイロット・チャネル情報にしたがって、この多重化パイロット・チャネルをデマルチプレクスする。
【０１０７】
図１４に示すように、本明細書に記載のシステムおよび方法の限定しない様々な例示的実施にしたがって、パイロット最適化を容易にする装置１４００が例示される。例えば、装置１４００は、基地局内に少なくとも部分的に存在しうる。装置１４００は、プロセッサ、ソフトウェア、または（例えばファームウェアのような）これらの組み合わせによって実現される機能を表す機能ブロックでありうる機能ブロックを含むものとして表されることが認識されるべきである。装置１４００は、連携して動作する電子構成要素の論理グループ１４０２を含む。例えば、論理グループ１４０２は、アップリンク・パイロット・チャネル情報の決定および送信のための基地局における電子構成要素１４０４を含む。例示であり限定しない目的で、アップリンク・パイロット・チャネル情報は、多重化される１または複数のアクティブ・ストリームの数、利用可能なリソース・ブロックの数、および／または、パイロット開始周波数位置、これらの任意の組み合わせ等を含みうる。さらに、論理グループ１４０２は、図４、６−７に関連して既により詳細に説明したように、パイロット制御を表す信号を受信する電子構成要素１４０６を含みうる。論理グループ１４０２はさらに、アップリンク・パイロット・チャネル情報の予め定めた関数にしたがって、パイロット制御信号を処理する電子構成要素１４０８を含みうる。さらに、装置１４００は、電子構成要素１４０４、１４０６、１４０８に関連する機能を実行するための命令群を保持するメモリ１４１０を含みうる。メモリ１４１０の外側にあるように示されているが、電子構成要素１４０４、１４０６、１４０８のうちの１または複数は、メモリ１４１０内に存在しうることが理解されるべきである。
【０１０８】
図１５に示すように、本明細書に記載のシステムおよび方法の限定しない様々な例示的実施にしたがってパイロット最適化をイネーブルする装置１５００が例示される。装置１５００は、例えば、無線端末内に少なくとも部分的に存在することができる。装置１５００は、プロセッサ、ソフトウェア、または（例えばファームウェアのような）これらの組み合わせによって実現される機能を表す機能ブロックでありうる機能ブロックを含むものとして表されることが認識されるべきである。装置１５００は、連携して動作しうる電子構成要素の論理グループ１５０２を含む。例えば、論理グループ１５０２は、アップリンク・パイロット・チャネル情報を受信し処理する電子構成要素１５０４を含みうる。例えば、電子構成要素１５０４は、図１４に関して上述したように、アップリンク・パイロット・チャネルを受信して処理する電子構成要素を含みうる。さらに、論理グループ１５０２は、図４、６−７に関連して既に詳細に説明したように、アップリンク・パイロット・チャネル情報に基づいてパイロット制御データを処理する電子構成要素１５０６を含みうる。さらに、論理グループ１５０２は、パイロット・フィードバック・データを送信する電子構成要素１５０８を含みうる。さらに、装置１５００は、電子構成要素１５０４、１５０６、１５０８に関連する機能を実行するための命令群を保持するメモリ１５１０を含むことができる。メモリ１５１０の外側にあるとして示されているが、電子構成要素１５０４、１５０６、１５０８の１または複数は、メモリ１５１０内に存在することができると理解されるべきである。
【０１０９】
本明細書で説明された例示的な実施は、ハードウェア、ソフトウェア、ファームウェア、ミドルウェア、マイクロコード、またはこれら任意の組み合わせによって実現されうる
ことが理解されるべきである。ハードウェアで実現する場合、ユーザ機器またはネットワーク・デバイス内の処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロプロセッサ、本明細書に記載の機能を実行するように設計されたその他の電子ユニット、あるいはこれらの組み合わせ内に実装されうる。
【０１１０】
本明細書に記載のシステムおよび／または方法が、ソフトウェア、ファームウェア、ミドルウェアまたはマイクロコード、プログラム・コード、あるいはコード・セグメントで実現される場合、例えばストレージ構成要素のような機械読取可能媒体に格納されうる。コード・セグメントは、手順、関数、サブプログラム、プログラム、ルーチン、サブルーチン、モジュール、ソフトウェア・パッケージ、クラス、あるいは命令群の組み合わせ、データ構造、またはプログラム・ステートメントを表しうる。コード・セグメントは、情報、データ、引数、パラメータ、あるいはメモリ・コンテンツの引き渡しおよび／または受け取りによって、別のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引き渡し、転送、あるいは送信されうる。
【０１１１】
ソフトウェアによって実現する場合、本明細書に記載の技術は、本明細書に記載の機能を実行するモジュール（例えば、手順、関数等）を用いて実現されうる。ソフトウェア・コードは、メモリ・ユニットに格納され、プロセッサによって実行されうる。メモリ・ユニットは、プロセッサ内部あるいはプロセッサ外部に実装されうる。プロセッサ外部に実装される場合、様々な手段によってプロセッサに通信可能に接続されうる。
【０１１２】
上述したものは、開示された主題の一例しか含んでいない。もちろん、そのような主題を記述するために、構成要素または方法論からなる考えられるすべての組み合わせを記述することは不可能であるが、当業者であれば、多くのさらなる組み合わせおよび置き換えが可能であることを認識することができる。したがって、主題は、特許請求の範囲の精神およびスコープ内にあるそのようなすべての変形、修正、および変更を包含することが意図される。さらに、用語「含む」が詳細説明または請求項の何れかで用いられている限り、その用語は、用語「備える」が、請求項における遷移語として使用されている場合に「備える」と解釈されるのと同様に、包括的であることが意図される。
なお、以下に、出願当初の特許請求の範囲に記載された発明を付記する。
［発明１］
無線通信システムにおけるパイロット最適化のための方法であって、
基地局においてアップリンク・パイロット・チャネル情報を決定することと、
１または複数の選択されたパイロット・チャネル制御動作を行うことによって、パイロット最適化を容易にするために、前記アップリンク・パイロット・チャネル情報を、１または複数の無線端末へ送信することと、
前記１または複数の選択されたパイロット・チャネル制御動作にしたがって、１または複数の協調する無線端末で実行される電力制御動作のモニタおよび指示を行うこととを備え、
前記電力制御動作は、前記１または複数の無線端末のパイロット・チャネル状態および／またはデータ・レートに関連する１または複数の無線端末に対して実行される方法。
［発明２］
１または複数の制御チャネルの電力レベルを自律的に上昇させることをさらに備える発明１に記載の方法。
［発明３］
データ・チャネルのデータ・レートに応じて、閾電力レベルよりも高い選択された電力レベルへ、１または複数の制御チャネルの電力レベルを自律的に上昇させることをさらに備える発明１に記載の方法。
［発明４］
前記１または複数の制御チャネルの電力レベルを、前記閾電力レベルへ減少させることをさらに備える発明３に記載の方法。
［発明５］
１または複数の高められた制御チャネルの電力レベルを、閾電力レベルよりも高い選択された電力レベルへ上昇させることをさらに備える発明１に記載の方法。
［発明６］
前記１または複数の高められた制御チャネルを復号することと、
前記１または複数の高められた制御チャネルをパイロット・リファレンスに変換するために、変調信号をフリップすることと
をさらに備える発明５に記載の方法。
［発明７］
別の１または複数の制御チャネルを復調するために、前記パイロット・リファレンスを１または複数の制御チャネルと結合して、フェーズ・リファレンスおよび／または増幅リファレンスを提供することさらに備える発明６に記載の方法。
［発明８］
無線通信システムにおけるパイロット最適化のための方法であって、
基地局からアップリンク・パイロット・チャネル情報を受信することと、
１または複数の電力制御動作を制御するために、前記受信したアップリンク・パイロット・チャネル情報を、協調する１または複数の無線端末において、前記アップリンク・パイロット・チャネル情報の予め定めた関数にしたがって処理することと、
パイロット・チャネルの動作状態を表すパイロット・フィードバック・データを前記基地局へ送信することと
を備える方法。
［発明９］
前記１または複数の無線端末で実行される電力制御動作は、前記１または複数の無線端末と基地局との間の送信データ・レートに応じている発明８に記載の方法。
［発明１０］
閾値データ・レートを超えて送信している場合、前記パイロット・チャネルの電力を上昇させることをさらに備える発明９に記載の方法。
［発明１１］
閾値データ・レート未満で送信している場合、前記パイロット・チャネルの電力を減少させることをさらに備える発明１０に記載の方法。
［発明１２］
サービス提供していないセルからのパイロット・コマンドを無視することをさらに備える発明１０に記載の方法。
［発明１３］
アップリンク・パイロット・チャネル情報を決定して送信し、電力制御動作のために最適化されたパイロット信号を送信し、前記アップリンク・パイロット・チャネル情報の予め定めた関数にしたがって、前記送信された最適化されたパイロット信号をモニタするための命令群を保持するメモリと、
前記メモリ内で前記命令群を実行するように構成されたプロセッサと
を備える通信装置。
［発明１４］
１または複数の高められた制御チャネルの電力レベルを、閾電力レベルよりも高い選択された電力レベルへ上昇させる発明１３に記載の通信装置。
［発明１５］
前記１または複数の高められた制御チャネルを復号し、前記１または複数の高められた制御チャネルをパイロット・リファレンスに変換するために変調信号をフリップする発明１４に記載の通信装置。
［発明１６］
別の１または複数の制御チャネルを復調するために、前記パイロット・リファレンスを１または複数の制御チャネルと結合して、フェーズ・リファレンスおよび／または増幅リファレンスを提供する発明１５に記載の通信装置。
［発明１７］
アップリンク・パイロット・チャネル情報を受信して処理し、前記受信したパイロット・チャネル情報にしたがって、１または複数のパイロット制御動作を実行し、パイロット制御動作および状態データを送信するための命令群を保持するメモリと、
前記メモリ内で前記命令群を実行するように構成されたプロセッサと
を備える通信装置。
［発明１８］
前記１または複数の電力制御動作は、前記送信データ・レートに応じている発明１７に記載の通信装置。
［発明１９］
閾値データ・レートを超えて送信している場合、前記パイロット・チャネルの電力を上昇させる発明１７に記載の通信装置。
［発明２０］
閾値データ・レート未満で送信している場合、前記パイロット・チャネルの電力を減少させる発明１７に記載の通信装置。
［発明２１］
基地局においてアップリンク・パイロット・チャネル情報を決定する手段と、
電力制御動作のために最適化されたパイロット信号を送信する手段と、
前記アップリンク・パイロット・チャネル情報の予め定めた関数にしたがって、前記送信された最適化されたパイロット信号をモニタする手段と
を備える通信装置。
［発明２２］
１または複数の高められた制御チャネルの電力レベルを、閾電力レベルよりも高い選択された電力レベルへ上昇させる発明２１に記載の通信装置。
［発明２３］
前記１または複数の高められた制御チャネルを復号し、前記１または複数の高められた制御チャネルをパイロット・リファレンスに変換するために、変調信号をフリップする発明２１に記載の通信装置。
［発明２４］
別の１または複数の制御チャネルを復調するために、前記パイロット・リファレンスを１または複数の制御チャネルと結合して、フェーズ・リファレンスおよび／または増幅リファレンスを提供する発明２１に記載の通信装置。
［発明２５］
アップリンク・パイロット・チャネル情報を受信し処理する手段と、
前記受信したパイロット・チャネル情報にしたがって、１または複数の電力制御動作を実行する手段と、
パイロット制御動作および状態データを送信する手段と
を備える通信装置。
［発明２６］
前記１または複数の電力制御動作は、前記送信データ・レートに応じている発明２５に記載の通信装置。
［発明２７］
閾値データ・レートを超えて送信している場合、前記パイロット・チャネルの電力を上昇させる発明２５に記載の通信装置。
［発明２８］
閾値データ・レート未満で送信している場合、前記パイロット・チャネルの電力を減少させる発明２５に記載の通信装置。
［発明２９］
アップリンク・パイロット・チャネル情報を決定して送信し、
電力制御動作のために最適化されたパイロット信号を送信し、
前記アップリンク・パイロット・チャネル情報の予め定めた関数にしたがって、前記送信された最適化されたパイロット信号をモニタする
ためのコンピュータ実行可能な命令群を、格納して有する機械読取可能媒体。
［発明３０］
１または複数の高められた制御チャネルの電力レベルを、閾電力レベルよりも高い選択された電力レベルへ上昇させる
ためのコンピュータ実行可能な命令群を、さらに格納して有する発明２９に記載の機械読取可能媒体。
［発明３１］
前記１または複数の高められた制御チャネルを復号し、前記１または複数の高められた制御チャネルをパイロット・リファレンスに変換するために変調信号をフリップする
ためのコンピュータ実行可能な命令群を、さらに格納して有する発明２９に記載の機械読取可能媒体。
［発明３２］
別の１または複数の制御チャネルを復調するために、前記パイロット・リファレンスを１または複数の制御チャネルと結合して、フェーズ・リファレンスおよび／または増幅リファレンスを提供する
ためのコンピュータ実行可能な命令群を、さらに格納して有する発明３０に記載の機械読取可能媒体。
［発明３３］
アップリンク・パイロット・チャネル情報を受信して処理し、前記受信したパイロット・チャネル情報にしたがって１または複数のパイロット制御動作を実行し、パイロット制御動作および状態データを送信する
ためのコンピュータ実行可能な命令群を、格納して有する機械読取可能媒体。
［発明３４］
閾値データ・レートを超えて送信している場合、前記パイロット・チャネルの電力を上昇させる
ためのコンピュータ実行可能な命令群を、さらに格納して有する発明３３に記載の機械読取可能媒体。
［発明３５］
閾値データ・レート未満で送信している場合、前記パイロット・チャネルの電力を減少させる
ためのコンピュータ実行可能な命令群を、さらに格納して有する発明３３に記載の機械読取可能媒体。
［発明３６］
サービス提供していないセルからのパイロット・コマンドを無視する
ためのコンピュータ実行可能な命令群を、さらに格納して有する発明３３に記載の機械読取可能媒体。
［発明３７］
無線通信システムにおける通信装置であって、
基地局においてアップリンク・パイロット・チャネル情報を決定し、１または複数の選択されたパイロット・チャネル制御動作を行うことによって、パイロット最適化を容易にするために、前記アップリンク・パイロット・チャネル情報を、１または複数の協調する無線端末へ送信し、前記１または複数の選択されたパイロット・チャネル制御動作にしたがって、前記１または複数の協調する無線端末で実行される電力制御動作のモニタおよび指示を行うように構成されたプロセッサを備え、
前記電力制御動作は、前記１または複数の協調する無線端末のパイロット・チャネル状態および／またはデータ・レートに関連する１または複数の協調する無線端末に対して実行される通信装置。
［発明３８］
前記プロセッサは、１または複数の高められた制御チャネルの電力レベルを、閾電力レベルよりも高い選択された電力レベルへ上昇させるためのシグナルを提供する発明３７に記載の通信装置。
［発明３９］
前記プロセッサは、前記１または複数の高められた制御チャネルを復号させ、前記１または複数の高められた制御チャネルをパイロット・リファレンスに変換するために変調信号をフリップさせるためのシグナルを提供する発明３７に記載の通信装置。
［発明４０］
前記プロセッサは、別の１または複数の制御チャネルを復調するために、前記パイロット・リファレンスを１または複数の制御チャネルと結合させ、フェーズ・リファレンスおよび／または増幅リファレンスを提供させるためのシグナルを提供する発明３８に記載の通信装置。
［発明４１］
無線通信システムにおける通信装置であって、
基地局からアップリンク・パイロット・チャネル情報を受信し、１または複数の電力制御動作を制御するために、前記受信したパイロット・チャネル情報を、協調する１または複数の無線端末において、前記アップリンク・パイロット・チャネル情報の予め定めた関数にしたがって処理し、パイロット・チャネルの動作状態を表すパイロット・フィードバック・データを前記基地局へ送信するように構成されたプロセッサを備える通信装置。
［発明４２］
前記プロセッサは、閾値データ・レートを超えて送信している場合、前記パイロット・チャネルの電力を上昇させるためのシグナルを提供する発明４１に記載の通信装置。
［発明４３］
前記プロセッサは、閾値データ・レート未満で送信している場合、前記パイロット・チャネルの電力を減少させるためのシグナルを提供する発明４１に記載の通信装置。
［発明４４］
前記プロセッサは、サービス提供していないセルからのパイロット・コマンドを無視させるためのシグナルを提供する発明４１に記載の通信装置。
【図１】
0005410569.tif 000004
【図２】
0005410569.tif 000005
【図３Ａ】
0005410569.tif 000006
【図３Ｂ】
0005410569.tif 000007
【図４】
0005410569.tif 000008
【図５】
0005410569.tif 000009
【図６】
0005410569.tif 000010
【図７】
0005410569.tif 000011
【図８】
0005410569.tif 000012
【図９】
0005410569.tif 000013
【図１０】
0005410569.tif 000014
【図１１】
0005410569.tif 000015
【図１２】
0005410569.tif 000016
【図１３】
0005410569.tif 000017
【図１４】
0005410569.tif 000018
【図１５】
0005410569.tif 000019